(57)【要約】【課題】  反射鏡に映る進行方向上の風景を作業者が視認しやすく、且つ非作業時に機体の上下及び左右から突出しない移植機を提供すること。【解決手段】  圃場を走行する走行車体４０に、苗を植え付ける植付装置２０ａ，２０ｂと、植付装置２０ａ，２０ｂに苗を供給する作業者が搭乗する搭乗部４６，１２２と、作業者が機外から走行車体４０の操作を行う操縦部４０４を備え、搭乗部４６，１２２は、搭乗した作業者が走行車体４０の進行方向に対向する方向を向く配置とし、操縦部４０４に搭乗部４６，１２２に搭乗した作業者に走行車体４０の進行方向側の景色を映す視認装置１５７を設け、視認装置１５７は、上下位置調節自在に設けて構成する。【選択図】図１８
2020184951.tif 000002
【特許請求の範囲】
【請求項１】
圃場を走行する走行車体（４０）に、苗を圃場に植え付ける植付装置（２０ａ，２０ｂ）と、該植付装置（２０ａ，２０ｂ）に苗を供給する作業者が搭乗する搭乗部（４６，１２２）と、作業者が機外から前記走行車体（４０）の操作を行う操縦部（４０４）を備える移植機において、
前記搭乗部（４６，１２２）は、搭乗した作業者が走行車体（４０）の進行方向に対向する方向を向く配置とし、前記操縦部（４０４）に搭乗部（４６，１２２）に搭乗した作業者に走行車体（４０）の進行方向側の景色を映す視認装置（１５７）を設け、該視認装置（１５７）は、上下位置調節自在に設けたことを特徴とする移植機。
【請求項２】
前記植付装置（２０ａ，２０ｂ）の機体前側に、作業者が投入する苗を供給搬送する苗供給装置（４３）を配置し、該苗供給装置（４３）と操縦部（４０４）を補強部材（１５２）で連結し、
該補強部材（１５２）に前記視認装置（１５７）を回動自在に装着する回動支持部材（１５３）を設け、該回動支持部材（１５３）は、補強部材（１５２）から機体左右一側または左右他側に向けて突出する姿勢で配置すると共に、
前記視認装置（１５７）は、該回動支持部材（１５３）に基部が装着される視認回動アーム（１５４）と、該視認回動アーム（１５４）の端部に回動可能に装着される景色の表示部（１５５）で構成することを特徴とする請求項１に記載の移植機。
【請求項３】
前記植付装置（２０ａ，２０ｂ）を昇降させる昇降装置（２１）を設け、
前記回動支持部材（１５３）に、前記視認装置（１５７）の下方への回動を規制する回動規制部（１５３ａ）を形成し、該回動規制部（１５３ａ）は、前記昇降装置（２１）が最も上方回動した位置よりも機体上方に位置する構成としたことを特徴とする請求項１または２に記載の移植機。
【請求項４】
前記走行車体（４０）に、走行及び植付の駆動力を発生させる駆動装置（４１）を設け、
前記操縦部（４０４）に該駆動装置（４１）の出力を増減操作する第１出力操作部材（４０６）を設けると共に、前記苗供給装置（４３）に該駆動装置（４１）の出力を増減操作する第２出力操作部材（４０９）を設けたことを特徴とする請求項１から３のいずれか１項に記載の移植機。
【請求項５】
前記苗供給装置（４３）に、第２出力操作部材（４０９）を収納する収納空間部（４０９ａ）を形成し、該収納空間部（４０９ａ）に、前記第２出力操作部材（４０９）を収納空間部（４０９ａ）内に向けて引く収納付勢部材（４１０）を設けたことを特徴とする請求項４に記載の移植機。
【発明の詳細な説明】
【技術分野】
【０００１】
本発明は、玉葱やレタス等の野菜苗を圃場に移植する移植機に関するものである。
【背景技術】
【０００２】
従来、機体の進行方向に対向する向き、即ち機体の進行方向に背を向けて作業座席に作業者が座り、この作業者が進行方向における機体後側に備える苗供給装置に苗を投入し、投入された苗を苗植付装置で植え付ける苗移植機であって、左右に二条植え可能な移植機が知られている（特許文献１）。
【０００３】
この移植機の苗供給装置には、作業座席に座った作業者が振り返ることなく機体の進行方向上の状態を確認すべく、反射鏡が設けられている。これにより、作業者は苗の投入作業に集中することができる。
【先行技術文献】
【特許文献】
【０００４】
【特許文献１】特開２０１７−  ９９４２１号公報
【発明の概要】
【発明が解決しようとする課題】
【０００５】
しかしながら、特許文献１の移植機では、反射鏡の角度はある程度変更できるものの、反射鏡の支柱の角度を変更しにくく、作業環境によっては進行方向が反射鏡に十分映されず、作業者が背後を振り向いて確認せざるを得ない状況がある。
【０００６】
これにより、作業者が苗を適切なタイミングで苗供給装置に投入できず、苗植付装置が苗を植え付けない、所謂欠株が発生する問題がある。
【０００７】
欠株の発生箇所には作業者が手作業で苗を植え付ける必要があり、余分な作業時間や労力を費やさせる問題がある。
【０００８】
また、反射鏡の支柱は苗供給装置よりも上方に突出しているので、移植機を倉庫等に収納する際や、圃場外で移動するとき等に、反射鏡が周囲と接触して角度が変わったり、破損したりする問題がある。
【０００９】
本発明は、従来の課題を考慮して、反射鏡に映る進行方向上の風景を作業者が視認しやすく、且つ非作業時に機体の上下及び左右から突出しない移植機を提供することを目的とする。
【課題を解決するための手段】
【００１０】
上記課題を解決するために、次のような技術的手段を講じた。
【００１１】
請求項１に係る発明は、圃場を走行する走行車体（４０）に、苗を圃場に植え付ける植付装置（２０ａ，２０ｂ）と、該植付装置（２０ａ，２０ｂ）に苗を供給する作業者が搭乗する搭乗部（４６，１２２）と、作業者が機外から前記走行車体（４０）の操作を行う操縦部（４０４）を備える移植機において、前記搭乗部（４６，１２２）は、搭乗した作業者が走行車体（４０）の進行方向に対向する方向を向く配置とし、前記操縦部（４０４）に搭乗部（４６，１２２）に搭乗した作業者に走行車体（４０）の進行方向側の景色を映す視認装置（１５７）を設け、該視認装置（１５７）は、上下位置調節自在に設けたことを特徴とする移植機とした。
【００１２】
請求項２に係る発明は、前記植付装置（２０ａ，２０ｂ）の機体前側に、作業者が投入する苗を供給搬送する苗供給装置（４３）を配置し、該苗供給装置（４３）と操縦部（４０４）を補強部材（１５２）で連結し、該補強部材（１５２）に前記視認装置（１５７）を回動自在に装着する回動支持部材（１５３）を設け、該回動支持部材（１５３）は、補強部材（１５２）から機体左右一側または左右他側に向けて突出する姿勢で配置すると共に、前記視認装置（１５７）は、該回動支持部材（１５３）に基部が装着される視認回動アーム（１５４）と、該視認回動アーム（１５４）の端部に回動可能に装着される景色の表示部（１５５）で構成することを特徴とする請求項１に記載の移植機とした。
【００１３】
請求項３に係る発明は、前記植付装置（２０ａ，２０ｂ）を昇降させる昇降装置（２１）を設け、前記回動支持部材（１５３）に、前記視認装置（１５７）の下方への回動を規制する回動規制部（１５３ａ）を形成し、該回動規制部（１５３ａ）は、前記昇降装置（２１）が最も上方回動した位置よりも機体上方に位置する構成としたことを特徴とする請求項１または２に記載の移植機とした。
【００１４】
請求項４に係る発明は、前記走行車体（４０）に、走行及び植付の駆動力を発生させる駆動装置（４１）を設け、前記操縦部（４０４）に該駆動装置（４１）の出力を増減操作する第１出力操作部材（４０６）を設けると共に、前記苗供給装置（４３）に該駆動装置（４１）の出力を増減操作する第２出力操作部材（４０９）を設けたことを特徴とする請求項１から３のいずれか１項に記載の移植機とした。
【００１５】
請求項５に係る発明は、前記苗供給装置（４３）に、第２出力操作部材（４０９）を収納する収納空間部（４０９ａ）を形成し、該収納空間部（４０９ａ）に、前記第２出力操作部材（４０９）を収納空間部（４０９ａ）内に向けて引く収納付勢部材（４１０）を設けたことを特徴とする請求項４に記載の移植機とした。
【発明の効果】
【００１６】
請求項１に係る発明により、視認装置（１５７）を設けたことにより、走行車体（４０）の進行方向上の景色を確認する際、作業者が振り返る動作が必要なくなるので、作業者の労力が軽減される。
【００１７】
また、苗の供給作業が滞ることを防止できるので、植付装置（２０ａ，２０ｂ）へ苗が確実に供給され、欠株の発生が防止される。
【００１８】
また、視認装置（１５７）の上下位置が調節可能であることにより、作業者の体格に合わせて視認しやすい位置に視認装置（１５７）を配置することができる。
【００１９】
請求項２に係る発明により、請求項１に係る発明の効果に加えて、苗供給装置（４３）と操縦部（４０４）を補強部材（１５２）で連結したことにより、機体の振動等により苗供給装置（４３）や操縦部（４０４）の前後方向の揺動を抑えることができるので、機体の強度が向上する。
【００２０】
また、視認装置（１５７）の振動を抑えることができるので、作業者が走行車体（４０）の進行方向上の景色を把握しやすくなる。
【００２１】
また、回動支持部材（１５３）を補強部材（１５２）から機体左右一側または左右他側に向けて突出させることにより、収納時等に視認装置（１５７）を突出方向とは反対方向に回動させると視認装置（１５７）が機体の左右幅内に収まるので、収納場所の省スペース化が図られる。
【００２２】
また、表示部（１５５）が視認回動アーム（１５４）の端部に回動可能に装着されることにより、作業者がより視認しやすい姿勢で配置することができるので、走行車体（４０）の進行方向上の景色の確認が容易になる。
【００２３】
請求項３にかかる発明により、請求項１または２に係る発明の効果に加えて、回動規制部（１５３ａ）が回動支持部材（１５３）の所定位置を超えた回動を規制することにより、視認装置（１５７）を使用せずに作業する時に視認装置（１５７）が昇降装置（２１）に接触することが防止され、視認装置（１５７）の破損が防止される。
【００２４】
あるいは、昇降装置（２１）の上方回動を視認装置（１５７）が制限することが防止される。
【００２５】
請求項４に係る発明により、請求項１から３のいずれか１項に係る発明の効果に加えて、苗供給装置（４３）に第２出力操作部材（４０９）を設けたことにより、作業者は操縦部（４０４）まで移動することなく搭乗部（４６，１２２）から駆動装置（４１）の出力操作を行うことができるので、苗の供給作業が中断されることが無く、作業能率が向上する。
【００２６】
請求項５に係る発明により、請求項４に係る発明の効果に加えて、第２出力操作部材（４０９）を苗供給装置（４３）の収納空間部（４０９ａ）に収納可能とすることにより、出力操作をしないときに第２出力操作部材（４０９）が作業者の動作を阻害することが防止され、苗の供給作業が安定する。
【００２７】
また、収納付勢部材（４１０）で第２出力操作部材（４０９）を収納空間部（４０９ａ）に向けて付勢することにより、第２出力操作部材（４０９）を使用しないときは自動的に収納空間部（４０９ａ）に収めることができる。
【図面の簡単な説明】
【００２８】
【図１】移植機の左側面図
【図２】移植機の右側面図
【図３】移植機の背面図
【図４】移植機の正面図
【図５】移植機の平面図
【図６】機体前側のバンパーの周辺を示す要部平面図
【図７】機体前側のバンパーの周辺を示す要部側面図
【図８】機体前側のバンパーの周辺を示す要部斜視図
【図９】昇降機構と左右の植付ホッパの条間調節機構を示す側面図
【図１０】昇降機構と左右の植付ホッパの条間調節機構を示す平面図
【図１１】昇降機構と左右の植付ホッパの条間調節機構を示す背面図
【図１２】昇降機構と左右の植付ホッパの条間調節機構を示す斜視図
【図１３】植付ホッパの開閉機構の要部を示す背面図
【図１４】（ａ）条間調節プレートを示す要部の背面視図、（ｂ）条間調節プレートを示す要部の正面視図
【図１５】（ａ）昇降用油圧シリンダと収縮規制アームを示す要部側面図、（ｂ）収縮規制アームを示す要部側面図、（ｃ）収縮規制アームを示す要部背面図
【図１６】昇降用油圧シリンダと収縮規制アームを示す要部背面図
【図１７】灌水ポンプとチェックバルブを備える移植機の要部側面図
【図１８】機体後部の操縦部や植付装置、苗供給装置等を示す要部斜視図
【図１９】カメラで撮影した映像をディスプレイに表示する視認装置を備えた移植機の左側面図
【図２０】第１畝端センサや搭乗ステップ等を示す移植機の要部斜視図
【図２１】上下動する乗降補助ステップを示す要部側面図
【図２２】上下動する乗降補助ステップを示す要部正面図
【図２３】別構成例の乗降補助ステップを示す分解斜視図
【図２４】（ａ）別構成例の半円状の乗降補助ステップを示す要部斜視図、（ｂ）別構成例のＬ字状の乗降補助ステップを示す要部斜視図
【図２５】出し入れ可能な第２スロットルレバーを備える苗供給装置を示す要部側面図
【図２６】別構成例の出し入れ可能な第２スロットルレバーを備える苗供給装置を示す要部側面図
【図２７】各種センサと対応する作動部材を示すブロック図
【図２８】過剰傾斜センサが検知状態になり、且つ作業者が搭乗していると伝動を停止させることを示すフローチャート
【図２９】左右どちらかの過剰傾斜センサが検知状態になり、且つ作業者が搭乗していると伝動を停止させることを示すフローチャート
【図３０】畝上の植付作業走行中に過剰傾斜センサが検知状態になり、且つ作業者が搭乗していると伝動を停止させることを示すフローチャート
【図３１】第２畝端センサを備える移植機の右側面図
【図３２】第１畝端センサと第２畝端センサが畝端への到達を検知すると伝動を停止させることを示すフローチャート
【図３３】畝端で畝面センサが畝から離れて車高が下がり、過剰傾斜センサが検知状態になると伝動を停止させることを示すフローチャート
【図３４】畝端で畝面センサが畝から離れて車高が下がり、過剰傾斜センサが検知状態になると共に、第１畝端センサと第２畝端センサが畝端への到達を検知すると伝動を停止させることを示すフローチャート
【図３５】（ａ）吸水ホースと連結した吸水パイプを示す要部断面図、（ｂ）第１吸水カバーを装着した吸水パイプの正面図、（ｃ）第２吸水カバーを装着した吸水パイプの正面図
【図３６】下部に吸水ホースを装着する吸水口を形成した水タンクの側面断面図
【発明を実施するための形態】
【００２９】
以下、図面に基づき、本発明の好ましい実施の形態について説明する。
【００３０】
図１は、本発明の実施の形態の移植機の一例として苗を移植する移植機１０を示す左側面図であり、図２は右側面図、図３は背面図、図４は正面図であると共に、図５は平面図である。
【００３１】
なお、以下の説明では、操縦ハンドル４０４を配置した側を後とし、その反対側、すなわちエンジン４１を配置した側を前とする。そして、機体前側に向かって右手側を右とし、左手側を左とする。
【００３２】
本実施の形態の移植機１０は、図１から図５に示すとおり、機体を前進走行可能とする走行車体４０と、走行車体４０の後部に設けた歩行操縦用の操縦ハンドル４０４と、圃場に苗を植え付ける植付装置４２と、植付装置４２に苗を供給する苗供給装置４３を備えている。
【００３３】
走行車体４０は、機体前部にミッションケース３９を設け、該ミッションケース３９の前側に駆動装置であるエンジン４１を設ける。前記ミッションケース３９の左右両側の機体後側下部には、後輪４４の左右位置を変更するトレッド調節が可能な車軸を覆う車軸カバー１０１が各々連結され、該車軸カバー１０１の機体外側端部には、機体後側に設ける後輪４４に駆動力を伝動する走行伝動ケース３８を各々上下回動可能に装着する。
【００３４】
なお、左右の後輪４４は、走行伝動ケース３８と、後述する前後フレーム１０３の左右間に各々配置することで、機体の左右幅を抑える構成としている。但し、苗の植付作業を行う畝幅等の条件に対応させるべく、左右の後輪４４を走行伝動ケース３８の機体外側に装着できる構成としておくと、対応可能な作業条件を増やすことができる。
【００３５】
より正確には、左右の車軸カバー１０１が内部の車軸（図示省略）を支点として回転可能に装着され、これらの車軸カバー１０１に走行伝動ケース３８を各々装着し、後述する昇降用油圧シリンダ３００やローリングシリンダ３１０の伸縮により車軸カバー１０１が回転することで、走行伝動ケース３８が上下回動する構成である。
【００３６】
そして、図１から図５、及び図１８に示すとおり、前記ミッションケース３９から伝動されて植付装置４２及び苗供給装置４３に駆動力を分岐供給する伝動ケース２６に、少なくとも該伝動ケース２６の左右側面と背面を覆うベースプレート４００を設け、該ベースプレート４００の後部にフレームステー４０１をボルト等の固定部材を介して着脱可能に設ける。そして、該フレームステー４０１に、機体後側上方に向かって円弧を描く形状で突出するハンドルフレーム４０２を設け、該ハンドルフレーム４０２の後部には、車高の上下調節や走行及び植付作業の伝動の入切等を操作する操縦部ユニット４０３を設けると共に、苗の植付を行わない移動時等に作業者が機体を操作する際に把持する操縦ハンドル４０４を設ける。該操縦ハンドル４０４はハンドルフレーム４０２を中心として機体左右方向で且つ機体後方に向かって屈曲する形状であり、左右の後部側には、前記後輪４４への伝動を入切するサイドクラッチ操作レバー４０５を各々設けている。また、操縦ハンドル４７のうち、左右どちらか一側には、エンジン４１の出力を増減操作する第１スロットルレバー４０６を設ける。
【００３７】
そして、前記ハンドル４０４の左右間には、操縦パネル４７ａを設け、該操縦パネル４７ａに、昇降用油圧シリンダ３００を伸縮操作して走行車体４０の車高を調節する車高調節レバー１２３と、左右の走行伝動ケース３８及び伝動ケース２６への駆動力の伝動を入切する主クラッチレバー１２５と、エンジン４１の始動の可否を切り替えると共に停止操作を行う第１エンジンスイッチ４０７と、走行車体４０の走行伝動を移動速、植付作業速、走行中立及び後進のいずれかに切り替える主変速レバー１５０を設ける。
【００３８】
エンジン４１の始動を許可するときは、作業者は該第１エンジンスイッチ４０７を押し込んで回転させて入位置に操作する。これにより、エンジン４１の始動操作が行われると、エンジン４１が始動する。なお、エンジン４１の始動は、セルスタータを用いるものでも、リコイルスタータを用いるものでもよい。また、エンジン４１以外の駆動装置、例えば電動モータで作動するものであるときでも、第１エンジンスイッチ４０７が入位置にあるときに電動モータへの通電が行われて始動する構成とする。
【００３９】
エンジン４１を停止させるときは、作業者が前記第１エンジンスイッチ４０７を軽く押し込むと、内装されたトルクバネ（図示省略）の力で切位置に切り替わり、これによりエンジン４１が停止状態になる。
【００４０】
切操作時は第１エンジンスイッチ４０７を軽く押し込むだけでよいので、走行及び植付を即座に止めることができる。これにより、畝端に到達したときにすぐに走行と植付が停止するので、畝でない箇所での苗の植付動作が防止され、余分に消費される苗が減少する。また、次の植付作業を行う畝に機体を移動させる際、余分な移動が生じないので、燃料消費や作業時間が軽減される。
【００４１】
前記操縦ハンドル４７の機体前側で、且つ伝動ケース２６の上部には、後述する、作業者が投入する苗を左右の植付ホッパ２０ａ，２０ｂに搬送する苗供給装置４３が設けられている。該苗供給装置４３の後部と、ハンドルフレーム４０２の後側上部で且つ操縦パネル４７ａの前側に設ける補強連結ステー１５１に亘って、操縦ハンドル４７及び苗供給装置４３付近の強度を向上させると共に振動を低減させる、前後方向の補強フレーム１５２を設ける。
【００４２】
そして、該補強フレーム１５２の前後間に、側面視Ｌ字形状の回動支持プレート１５３を、背面視で機体左右他側（機体右側）に向けて突出する姿勢で装着する。該回動支持プレート１５３は、機体左右他側が開放されており、この開放側に、視認回動アーム１５４の基部を回動可能に装着する。なお、該視認回動アーム１５４は、機体左右一側（機体左側）にはハンドルフレーム４０２に接触するまで回動可能とし、機体左右他側には回動支持プレート１５３に接触する位置まで回動可能とする。言い換えれば、回動支持プレート１５３は、視認回動アーム１５４を機体左右他側方向に回動させたとき、苗供給装置４３と視認回動アーム１５４が略平行、乃至機体外側に向かう下り傾斜姿勢となる位置で、機体下部側に位置する回動規制部１５３ａにより回動を規制することになる。
【００４３】
なお、視認回動アーム１５４が設けられる部分の下方には、機体左右他側の植付ホッパ２０ｂを昇降させる左右他側の上下動機構２１が上下回動可能に配置されているが、回動規制部１５３ａに接触するまで機体左右他側に回動させた視認回動アーム１５４は、最大限上方回動した上下動機構２１よりも機体上方に位置する配置構成とする。
【００４４】
前記視認回動アーム１５４の端部側には、走行車体４０の進行方向上、即ち機体前側の景色が映り込ませ、後述する作業座席４６、及びフロアステップ１２２に、走行車体４０の進行方向に背を向けて搭乗する作業者が視認する、視認部材１５５を回動可能に設ける。より具体的には、該視認部材１５５は、機体後側にボール状の連結体（図示省略）を有し、このボール状の連結体を視認回動アーム１５４側の連結穴部（図示省略）にねじ込み、回転及び角度調節自在に構成されている。
【００４５】
前記視認部材１５５は、ミラー１５５ａとすると装着するだけで機体前側の景色を映すことができるので、装着によるコストの上昇が抑えられる。なお、苗の植付作業を行う圃場では、作業時間帯や作業場所によっては太陽光や周辺の照明の反射により見づらくなることが考えられるので、ミラー１５５の上側にシェード体（図示省略）等を装着可能とするとよい。
【００４６】
あるいは、図１９に示すとおり、ミラー１５５ａに代わり、視認部材１５５を液晶等のディスプレイ１５５ｂとし、該ディスプレイ１５５ｂには、走行車体４０の機体前側で且つ左右方向の中央部付近に設けるカメラ１５６が撮影する映像を映す構成としてもよい。このとき、ディスプレイ１５５ｂとカメラ１５６は有線接続としてもよいが、無線通信器を用いて配策を不要としてもよい。また、ディスプレイ１５５ｂは、タブレットやスマートフォン等の通信機能及び映像表示機能を有する通信端末を用いてもよい。
【００４７】
上記により、視認装置１５７が構成される。
【００４８】
上記構成では、視認回動アーム１５４を前後方向の回動軸を中心に、機体左右方向に円弧状に回動させ、視認部材１５５の左右位置及び上下高さを変更することができるので、作業者の作業姿勢、例えば、作業座席４６に座って作業をするかフロアステップ１２２に立って作業をするか、や、作業者の体格に合わせて、視認部材１５５に映る機体前方の景色を見やすくすることができる。これにより、作業者は苗の植付作業を終了する畝端への接近や、進路上の障害物の有無等を確実に発見できるので、畝以外の箇所で苗を無駄に植えてしまうことや、障害物との接触で走行車体４０が破損することが防止される。
【００４９】
また、作業者は進行方向に背を向け、機体後側に配置される苗供給装置４３に苗を投入する必要があるが、機体前側の様子を見るべく背後を向く必要がなくなるので、苗の供給が途切れ、植付ホッパ２０ａ，２０ｂが圃場に苗を植え付けない、所謂欠株が発生することが防止される。
【００５０】
これにより、作業者は欠株の発生箇所に苗を手作業で植える必要が無く、作業者の労力が軽減される。
【００５１】
そして、収納時等、機体左右一側に向けて視認回動アーム１５４を回動させると、視認回動アーム１５４は機体の左右一側端部よりも機体内側に位置し、且つ機体の左右幅内に収まる構成となるので、収納場所で視認装置１５７が引っ掛かり、破損することが防止される。
【００５２】
また、非使用時等に、機体左右他側の回動規制部１５３ａに向けて最大限視認回動アーム１５４を回動させても、視認回動アーム１５４は上下動機構２１と干渉しない上方位置に位置するので、視認回動アーム１５４が上下動機構２１との接触で破損することが防止される。
【００５３】
さらに、視認装置１５７は、基部側が補強フレーム１５２の前後間に設けられているので、機体の振動が視認装置１５７に伝わりにくく、視認部材１５５に映る景色が視認しやすくなる。
【００５４】
また、ハンドルフレーム４０２と苗供給装置４３を補強フレーム１５２で連結することにより、機体の強度の向上が図られる。
【００５５】
なお、視認回動アーム１５４の回動支持プレート１５３への取付はダブルナットとし、外れることや自重で下方回動することを防止しつつ、作業者の回動操作では軽い力で回動する取付方とすると、調節作業が容易で、且つ工具が無くても行える。
【００５６】
前記ミッションケース３９の機体前側で且つ左右両側には、正面断面視でコの字形状のバンパー支持フレーム１０８を機体前側に突出させて設ける。そして、該左右のバンパー支持フレーム１０８の前方には、機体前側に突出するバンパー１０９を設ける。
【００５７】
なお、図６から図８に示すとおり、バンパー１０９は、板体の機体前側と左右両側を下方に折り曲げたバンパープレート１０９ａと、該バンパープレート１０９ａの上面に着脱可能なフロントウエイト１０９ｂと、バンパープレート１０９ａから左右方向に延びるバンパーロッド１０９ｃで構成している。該フロントウエイト１０９ｂは、鉄等の比較的重量があり且つ硬度の高い素材の塊で構成し、バンパープレート１０９ａよりも機体前側に突出する形状とする。
【００５８】
これにより、重量と硬度を有する塊であるフロントウエイト１０９ｂが最も機体前方に突出するので、障害物に接触したときにバンパープレート１０９ａまで損傷が及ぶことを防止できる。
【００５９】
前記左右のバンパー支持フレーム１０８の機体前側で、且つ機体下部側には機体下側が開口部となる凹部（図示省略）を形成し、これらの凹部に、機体左右方向を長手方向とする前部梁フレーム１１０を差し込んで固定する。
【００６０】
該前部梁フレーム１１０を設けることにより、左右のバンパー支持フレーム１０８とミッションケース３９とで機体前側にも四角形にフレームが組み上げられるので、機体前側の強度が向上する。特に、バンパー１０９が障害物に接触した際、前部梁フレーム１１０に左右のバンパー支持フレーム１０８を差し込んで固定しているので、左右のバンパー支持フレーム１０８の後部側に破損や衝撃が伝播しにくくなる。
【００６１】
また、ミッションケース３９を機体に組み付ける際、左右のバンパー支持フレーム１０８の凹部を前部梁フレーム１１０に差し込んでから左右方向に移動させることにより、ミッションケース３９の前後位置を固定したうえで左右位置を調節できるので、ミッションケース３９の取付位置のずれにより組立作業が滞ることが防止される。
【００６２】
なお、前記ミッションケース３９の前側で且つ左右一側に前記エンジン４１の後部を積載し、エンジン４１の前部は、前部梁フレーム１１０の左右中央部付近に配置するエンジンマウントに積載する構成とするが、エンジン４１が配置される側のバンパー支持フレーム１０８とエンジン４１は、上下方向に間隔を空けて配置する構成とする。即ち、バンパー支持フレーム１０８は、エンジン４１を下方から受ける部材ではない。
【００６３】
上記構成により、バンパー１０９が障害物に接触したときの衝撃が、バンパー支持フレーム１０８からエンジン４１に伝播することを防止できるので、エンジン４１が破損することや、衝撃により作動不良を起こすことを防止できる。
【００６４】
また、バンパー支持フレーム１０８が衝撃で変形しても、エンジン４１の積載状態に影響を及ぼしにくい構成となり、バンパー１０９が破損してもエンジン４１の動力で作業や移動を行うことができる。
【００６５】
そして、前記バンパープレート１０９ａの左右両側には、バンパーロッド１０９ｃを装着する左右方向の凹部を有するステップ支持プレート１１１を各々装着する。該左右のステップ支持プレート１１１は、前記前部梁フレーム１１０の機体後側で且つ左右両側に各々設ける補強アーム１１２を介して支持する構成とする。
【００６６】
該左右のステップ支持プレート１１１の上面は平坦であり、走行車体４０の機体左右一側、即ち機体左側においては、作業者が機体前側から乗り降りする際に足を乗せる前側搭乗ステップ１１３の機体前側部分を装着する。一方、機体左右他側、即ち機体右側には、植付ホッパ２０ａ，２０ｂが植え付ける苗同士の前後間隔、所謂株間を設定する、株間主変速レバー８０１と株間副変速レバー８０２、及び主変速レバー１５０が植付速に操作されているときに、第１植付速または第２植付速を選択する植付変速レバー８０３を支持する、株間切替カバー１１４を形成する。
【００６７】
該前側搭乗ステップ１１３は、機体前側で且つ上下方向下側に位置する下部足載せ部１１３ａと、下部足載せ部１１３ａよりも機体後側で且つ上下方向上側に位置する上側足載せ部１１３ｂと、下部足載せ部１１３ａと上側足載せ部１１３ｂの上下間に位置し、機体外側方向に向かって捻れて傾斜する中間傾斜部１１３ｃで構成される。下部足載せ部１１３ａの表面には、滑り止め突起１１３ｄを複数形成するものとし、中間傾斜部１１３ｃは、乗り降りの際に作業者が足を心理的に乗せにくい傾斜角度で、且つ下部足載せ部１１３ａと上側足載せ部１１３ｂの間で移動するときに跨いで通過される前後長さとする。
【００６８】
一方、該株間切替カバー１１４は、機体前側で且つ上下方向下側に位置する下側台部１１４ａと、下側台部１１４ａよりも機体後側で且つ上下方向上側に位置する上側台部１１４ｂと、下側台部１１４ａと上側台部１１４ｂの上下間に位置し、機体外側方向に向かって捻れて傾斜すると共に、株間主変速レバー８０１と株間副変速レバー８０２、及び主変速レバー１５０が各々移動する移動溝を形成したレバー装着部１１４ｃで構成される。
【００６９】
なお、前記前側搭乗ステップ１１３と株間切替カバー１１４は左右対称な形状であり、機体左右一側に設けるものを株間切替カバー１１４とし、機体左右他側に設けるものを前側搭乗ステップ１１３としてもよい。
【００７０】
そして、前記上側足載せ部１１３ｂ及び上側台部１１４ｂの機体後側には、機体側方から作業者が乗り降りすると共に、作業時の足場となる側部ステップ１１８を各々設ける。該側部ステップ１１８は、枠内に縦横に板体を配置して複数の空間部を形成しており、作業者の靴底に付着した土を下方に落下させる構成とする。また、前記左右の側部ステップ１１８の左右間には、搭乗する作業者の足場となる中央ステップ１１９を着脱可能に設ける。
【００７１】
以上により、フロアステップ１２２が構成される。
【００７２】
前側搭乗ステップ１１３、株間切替カバー１１４、左右の側部ステップ１１８及び中央ステップ１１９の取付は、各々独立して行う、即ち、一つの取付部材（ボルト等）で共締めしないものとする。これにより、部分的なメンテナンス作業時に各ステップ構成体を取り外す際、別のステップ構成体を取り外す必要が無く、メンテナンス作業の能率が向上する。
【００７３】
前記前側搭乗ステップ１１３の前側下部には、前側搭乗ステップ１１３への乗り降りの際に作業者が足を乗せる、乗降補助機構１７０を装着する。該乗降補助機構１７０は、機体外側に位置する、側面視でＬ字形状であり、屈曲部分より機体下側に機体前方に突出する第１突出部１７１ａを有する外側支持アーム１７１と、機体内側に位置する、正面視でＬ字形状であり、屈曲部分より機体下側に機体外側に突出する第２突出部１７２ａを有する内側支持アーム１７２と、第１突出部１７１ａと第２突出部１７２ａに亘って設ける乗降補助ステップ１７３で構成する。
【００７４】
前記外側支持アーム１７１は、ステップ支持プレート１１１と共に、共締めボルト１７４…で共締めして走行車体４０に装着する。また、前記内側支持アーム１７２は、バンパープレート１０９ａと共に、共締めボルト１７４…で共締めして走行車体４０に装着する。
【００７５】
これにより、共締めボルト１７４…で複数の部材を締め込む構成となるので、走行車体４０の機体前側付近の強度の向上が図られ、作業者の乗り降りの際に係る荷重による耐久性の低下が軽減される。
【００７６】
また、乗降補助ステップ１７３を設けたことにより、畝の高さ等に合わせて走行車体４０の車高を高くしていても、作業者は乗降補助ステップ１７３に足を乗せ、前側搭乗ステップ１１３の下側足載せ部１１３ａに足を段階的に載せて乗り込むと共に、逆の動作により降りることができるので、乗り降りの際に足を高く上げる必要や、多少なりとも飛び降りる必要が無く、作業者の身体への負担が軽減される。
【００７７】
そして、乗降補助ステップ１７３を、第１突出部１７１ａと第２突出部１７２ａに亘って設けたことにより、乗降補助ステップ１７３の左右幅内に外側支持アーム１７１と内側支持アーム１７２が位置しないので、作業者の足が外側支持アーム１７１と内側支持アーム１７２に接触することが防止される。
【００７８】
一方、走行車体４０の車高を下降させたときや植付作業中は、前記乗降補助機構１７０は不要になるだけでなく、車高によっては畝面や畝の法面に接触して畝を崩し、苗の植付精度を低下させるおそれがある。
【００７９】
これを防止すべく、外側支持アーム１７１と内側支持アーム１７２の基部をダブルナット（図示省略）で装着し、共締めボルト１７４…を回動支点として外側支持アーム１７１と内側支持アーム１７２を回動可能に装着して、乗降補助機構１７０を上下回動可能に構成するとよい。
【００８０】
上記構成により、不要な時には乗降補助機構１７０を畝面から離間する上方に回動させることができるので、乗降補助機構１７０が畝を崩すことが防止され、苗の植付精度が維持される。
【００８１】
あるいは、上記構成に替えて、図２１及び図２２に示すとおり、外側支持アーム１７１を、走行車体４０側に装着する外側基部アーム１７５と、該外側基部アーム１７５の上下方向に沿って摺動自在に設ける外側摺動アーム１７６と、該外側摺動アーム１７６を機体上側に引き上げる付勢力を有する外側引上スプリング１７７で構成し、上下長さを変更可能に構成する。また、内側支持アーム１７２を、走行車体４０側に装着する内側基部アーム１７８と、該内側基部アーム１７８の上下方向に沿って摺動自在に設ける内側摺動アーム１７９と、該内側摺動アーム１７９を機体上側に引き上げる付勢力を有する内側引上スプリング１８０で構成し、上下長さを変更可能に構成する。
【００８２】
乗降補助ステップ１７３は、外側摺動アーム１７６の第１突出部１７１ａと内側摺動アーム１７９の第２突出部１７２ａに亘って設け、乗降補助ステップ１７３に荷重がかかると外側摺動アーム１７６と内側摺動アーム１７９が外側引上スプリング１７７と内側引上スプリング１８０の付勢力に抗して下方移動し、走行車体４０の乗降位置に移動して使用状態になる。
【００８３】
なお、上記構成では、乗降補助ステップ１７３に荷重がかからなくなると、外側引上スプリング１７７と内側引上スプリング１８０の付勢力によって外側摺動アーム１７６と内側摺動アーム１７９が上方に摺動して非使用状態に切り替わる構成であるので、使用位置で固定するピン等の固定部材（図示省略）を設けてもよい。
【００８４】
上記構成により、特に走行車体４０に乗り込む際、作業者は乗降補助ステップ１７３に足で体重をかけると、乗降補助ステップ１７３を介して前側搭乗ステップ１１３に乗り込むことができる。
【００８５】
上記構成では、走行車体４０の前方から乗り降りするものであるが、圃場に水溜まりや泥濘等があると、作業者が乗り降りし辛い状況もある。このとき、走行車体４０の斜め前方から乗り降りする、斜め補助ステップ１９６を設けてもよい。
【００８６】
図２３に示すとおり、機体左右一側の前輪４５に、平面視コの字形状のステップステー１９７を、前輪４５の左右両側及び後部を包囲しつつ車軸１８を介して装着する。該ステップステー１９７の後側上部には、前輪４５に付着した土を接触により落とすスクレーパ１９７ａを設け、該スクレーパ１９７ａの上部に斜め補助ステップ１９６を設ける。
【００８７】
これにより、作業者は斜め補助ステップ１９６からも前側搭乗ステップ１１３に乗り込むことができるので、作業場所に合わせて能率の良い移動が可能になる。
【００８８】
また、ステップステー１９７にスクレーパ１９７ａを設けたことにより、前輪４５に付着した土を落とすことができるので、前輪４５の径が安定し、走行姿勢が乱れることが防止される。
【００８９】
なお、斜め補助ステップ１９６は、作業者の足を乗せる面積を広くすべく、前輪４５を取り付ける縦フレーム１７の外周の少なくとも半周を包囲する、図２４（ａ）に示す半円ステッププレート１９８や、縦フレーム１７の側方及び後方に位置する、図２４（ｂ）に示す平面視Ｌ字形状のＬ字ステッププレート１９９としてもよい。
【００９０】
これにより、作業者の足の一部だけでなく全体を乗せやすくなるので、乗り降りをより安定した姿勢で行えるので、いっそう能率の向上が図られる。
【００９１】
図１から図８に示すとおり、前記株間切替カバー１１４の下部には、自重により下方回動して畝面に接触し、走行車体４０が畝の端に到達して接地しなくなるとさらに下方回動し、圃場端に到達したことを作業者に知らせる報知装置１８１を作動させる、第１畝端センサ１８２を支持する、畝端センサステー１８２ａを設ける。該報知装置１８１は、走行車体４０の各部に装着するブザーやランプ、あるいは、作業者の情報端末（タブレット、スマートフォン等）に通知する通信装置とする。
【００９２】
該第１畝端センサ１８２は、センサアーム１８３を回動可能に設け、該センサアーム１８３の下部に畝面接地ローラ１８４を回転可能に装着し、センサアーム１８３を下方に付勢する接地付勢スプリング１８５を設けると共に、センサアーム１８３の基部には、所定角度以上になると入（あるいは切）になる第１畝端検知スイッチ１８６を設けて構成する。該接地付勢スプリング１８５は、長孔に沿って角度調節可能な検知調節プレート１８７に上端部側を装着し、畝高さに合わせて作動する角度を変更可能に構成する。
【００９３】
この第１畝端センサ１８２は、苗の植付作業走行の開始時、走行車体４０の車高調整により畝面に接地させる。回転自在な畝面接地ローラ１８４を接地させていることにより、畝面を崩しにくく、且つ微細な凹凸を均すことができ、苗の植付精度の向上が図られる。
【００９４】
そして、走行車体４０が前進を続けて畝の端部に到達し、畝面接地ローラ１８４が畝面に接触しなくなると、接地付勢スプリング１８５の付勢力と、センサアーム１８３と畝面接地ローラ１８４の自重により、センサアーム１８３が下方回動して、第１畝端検知スイッチ１８６が押されない状態となる。第１畝端検知スイッチ１８６が押されなくなると、報知装置１８１に通電されることにより、報知装置１８１が作動し、作業者に走行車体４０の機体前端付近が畝端に到達したことを報知する。
【００９５】
なお、第１畝端センサ１８２が畝端を検知した時点では、畝にはまだ数株分の植付スペースが残っているので、作業者は機体を即座に停止させるのではなく、残りの植付スペースに植え付けられる数の苗を苗供給装置４３に投入しつつ、停止操作を準備する。
【００９６】
これにより、作業者は背後を振り返ることなく畝端への接近を知ることができるので、苗を畝上に植え付け終えるタイミングで機体を停止させることができ、余分な走行による燃料の消費や、次の作業条への移動距離が長くなることが防止される。
【００９７】
また、畝端が近付いた際、苗供給装置４３に投入する苗の数を調整できるので、植付作業走行の停止操作が遅れて植付ホッパ２０ａ，２０ｂが植付動作を行っても、畝でない箇所に苗が放出されることが防止される。
【００９８】
なお、図４、図６及び図７に示すとおり、前記センサアーム１８３を左右一対のセンサアーム１８３ａ，１８３ａとし、畝面接地ローラ１８４を左右の畝面接地ローラ１８４ａ，１８４ａを各々回転可能に装着し、左右の第１畝端検知スイッチ１８６，１８６を各々設ける構成としてもよい。
【００９９】
これにより、左右のセンサアーム１８３，１８３のどちらか一方が下方回動して対応する第１畝端検知スイッチ１８６，１８６の一方が押されない状態になると、報知装置１８１が作動することにより、畝端が風雨により崩れて形状が乱れていても畝端が検知されやすく、作業者による植付作業走行停止操作がタイミングよく行える。
【０１００】
また、走行車体４０の機体前側の左右両側で、且つ後輪４４よりも機体前側には、前部梁フレーム１１０の下部側に設けられて機体左右方向に突出する横フレーム１６を介して、転動自在に支持した前輪４５を設ける。
【０１０１】
そして、前記走行伝動ケース３８の前部の回動軸心位置には、ミッションケース３９から左右両外側方に延出させた車輪駆動軸の先端が入り込んで、ミッションケース３９内の走行部系変速伝動部を経た走行用の動力が走行伝動ケース３８内の伝動機構に伝達している。そして、走行用の動力は走行伝動ケース３８内の伝動機構を介して、走行用伝動ケース３８の後輪車軸１２に伝動し、後輪４４が駆動回転する構成としている。
【０１０２】
なお、ミッションケース３９内に設けた左右それぞれのサイドクラッチ（図示せず）により、左右の各後輪４４の駆動を断つことが出来る構成になっている。従って、機体を旋回させるときには、サイドクラッチにより旋回内側となる左右一方の後輪４４を非駆動状態にしてスムーズに旋回できる構成としている。
【０１０３】
また、前記走行伝動ケース３８には、走行伝動ケース３８の前部側を回動支点として後輪４４を上下させる、上下回動する駆動手段が連結している。具体的には、走行伝動ケース３８のミッションケース３９への取付部には、上方に延びるアーム１３が一体的に取り付けられており、アーム１３がミッションケース３９に固定された昇降用油圧シリンダ３００のピストンロッド先端に取り付けた連結体の左右両側部と連結している。左右一方側（右側）は、連結ロッドで連結し、他方側（左側）は、機体の傾斜に対応して伸縮作動可能な左右水平制御用油圧シリンダで連結している。
【０１０４】
昇降用油圧シリンダ３００が作動してそのピストンロッドが機体後方に突出すると、左右のアーム１３は後方に回動し、これに伴い走行伝動ケース３８が下方に回動して、機体が上昇する。反対に、昇降用油圧シリンダ３００のピストンロッドが機体前方に移動してシリンダ内に引っ込むと、左右のアーム１３は前方に回動し、これに伴い走行伝動ケース３８が上方に回動して、機体が下降する。
【０１０５】
この昇降用油圧シリンダ３００は、畝面に接地して機体と畝面との上下間隔の変動に伴って動作する畝面センサ１４によって作動する。畝面センサ１４の動作は機体の位置を基準とした畝上面高さを検出する動作となり、その畝面センサ１４の検出動作に基づいて機体を畝上面高さに対応して設定高さになる構成で昇降用油圧シリンダ３００が作動する構成としている。
【０１０６】
また、左右水平制御用油圧シリンダが伸縮作動すると、その左右水平制御用油圧シリンダと連結する左側のアーム１３が回動して、左側の後輪４４のみを上下動させ、機体を左右に傾斜させる。この左右水平制御用油圧シリンダは、左右水平を基準として機体の左右傾斜を検出するセンサの検出結果に基づいて作動して、機体を左右水平にする構成としている。
【０１０７】
上記の昇降用油圧シリンダ３００は、前記畝面センサ１４による検知、または機体後部に設ける車高調節レバー１２３の操作によって伸縮し、車高を変化させるものである。しかしながら、長時間停車していると、機体の重量による負荷が昇降用油圧シリンダ３００に加わり、作動油が自然にリークすることで、昇降用油圧シリンダ３００が収縮して車高が低くなってしまうことがある。
【０１０８】
特に、長期間機体が停車状態となる、倉庫等での保管時に車高が下がると、畝面センサ１４や植付ホッパ２０ａ，２０ｂの下端部が床面に接触し、変形してしまう恐れや、床面を傷つけてしまうおそれがある。また、食事等による長時間の休憩の後、車高を再度調節し直す作業が必要となることもあり、作業能率の低下や、調節ミスにより植付深さが不揃いになるおそれがある。
【０１０９】
図１５及び図１６に示すとおり、昇降用油圧シリンダ３００は、固定シリンダケース３０１と、該固定シリンダケース３０１に内装されて摺動する、摺動ロッド３０２の端部を支持する油圧天秤３０３と、該摺動ロッド３０２を伸長側、即ち走行車体４０の車高を高くする方向に付勢するスプリング３０４で構成し、該スプリング３０４の一端部には、伸長を規制する円弧形状のスプリングキャップ３０５を設ける。
【０１１０】
そして、前記油圧天秤３０３の上部側には、回動操作により規制状態と非規制状態に切替可能な収縮規制アーム３０６を回動可能に設け、該収縮規制アーム３０６が規制状態側に回動すると、固定シリンダケース３０１と油圧天秤３０３の前後間に収縮規制アーム３０６の端部が接触し、摺動ロッド３０２が物理的に収縮方向に移動できない状態になる構成とする。
【０１１１】
前記収縮規制アーム３０６は、に示すとおり、油圧天秤３０３に基部側をトルク・スプリング３０７を介して装着し、端部側には、摺動ロッド３０２の外周を覆う形で接触して固定シリンダケース３０１と油圧天秤３０３の前後間に入り込む規制スペーサ３０８と、スプリング３０４の前方で固定シリンダケース３０１の外周面に噛み込む規制ホルダ３０９を設けて構成する。
【０１１２】
なお、該規制スペーサ３０８は、図１５（ｃ）に示すとおり、予備摺動ロッド３０２の外周に確実に接するべく、正面視でコの字形状とし、該規制ホルダ３０９は、固定シリンダケース３０１に噛み合わせるべく、円弧状の切り欠きを形成したものとする。また、規制スペーサ３０８及び規制ホルダ３０９の接触面には、昇降用油圧シリンダ３００に傷を付けることを防止すべく、ゴム等の軟質材をコーティングするとよい。
【０１１３】
前記トルク・スプリング３０７は、収縮規制アーム３０６を非規制状態側に付勢しており、非規制状態では前記規制スペーサ３０８と規制ホルダ３０９が昇降用油圧シリンダ３００の伸縮域から完全に退避する位置に収縮規制アーム３０６が回動する構成とする。
【０１１４】
前記収縮規制アーム３０６の規制状態と非規制状態の切替は、専用の手動操作レバーを設けて、走行車体４０のフロアステップ１２２上から行える構成としてもよいが、昇降用油圧シリンダ３００は走行車体４０の機体前後方向の中央付近に位置するので、手動操作レバーをフロアステップ１２２の上面から突出させる必要がある。フロアステップ１２２から手動操作レバーが突出していると、作業者の移動を妨げるおそれがあると共に、作業者の足が接触して規制状態と非規制状態の切替が意図せず行われてしまい、畝面センサ１４が圃場高さが低くなったことを検知しても昇降用油圧シリンダ３００が収縮できず、植付深さが浅くなるおそれがある。
【０１１５】
また、車高調節を行ったあと、走行車体４０上で手動操作レバーを操作する必要があるので、作業工数が増加してしまうことになる。
【０１１６】
これらの問題の発生を防止すべく、前記収縮規制アーム３０６の切替操作は、走行車体４０の操縦ハンドル４７の左右中央部の操縦パネル４７ａに設けられる、昇降用油圧シリンダ３００を伸縮操作して走行車体４０の車高を調節する、車高調節レバー１２３に連携ワイヤ１２４を設け、該車高調節レバー１２３の操作に連動して行われる構成とする。
【０１１７】
前記車高調節レバー１２３は、機体前側に車高を高くする「高」ポジション、機体後側に車高を低くする「低」ポジションを有すると共に、「低」ポジションから機体外側方向には、昇降用油圧シリンダ３００の伸縮を停止させて車高を維持する「固定」ポジションを有する。「固定」ポジションに車高調節レバー１２３を操作すると、連携ワイヤ１２４が収縮規制アーム３０６を規制状態側に回動させる構成とする。一方、車高調節レバー１２３を「固定」ポジションから移動させて連携ワイヤ１２４が緩むと、トルク・スプリング３０７の付勢力により収縮規制アーム３０６は非規制状態側に回動する。
【０１１８】
上記構成により、収縮規制アーム３０６が規制状態に操作されると、規制スペーサ３０８が固定シリンダケース３０１と油圧天秤３０３の前後間に入り込んで昇降用油圧シリンダ３００が収縮できない状態になるので、移植機の自重による車高の低下が防止される。
【０１１９】
これにより、車高を再調整する作業が不要となり、作業能率が向上すると共に、植付ホッパ２０ａ，２０ｂや畝面センサ１４が床面に押し付けられて変形することが防止される。
【０１２０】
また、規制ホルダ３０９が固定シリンダケース３０１に噛み込むことにより、収縮規制アーム３０６の接触位置がずれて昇降用油圧シリンダ３００が収縮可能な状態が維持されることを防止できる。
【０１２１】
また、走行車体４０の後部の車高調節レバー１２３の操作に連動して、収縮規制アーム３０６が規制状態と非規制状態に切り替わるので、収縮規制アーム３０６の操作部材を別途設ける必要が無く、部品数の削減が図られる。
【０１２２】
あるいは、フロアステップ１２２の上面に収縮規制アーム３０６の操作部材が突出することがなく、規制状態と非規制状態が意図せずに切り替わることが防止されるので、畝面の凹凸に合わせた植付深さで苗の植付が行える。
【０１２３】
また、連携ワイヤ１２４は、収縮規制アーム３０６を規制状態側にのみ切り替える構成であるので、連携ワイヤ１２４が断線する、あるいは過度に伸長して撓む等の破損が生じたときは、トルク・スプリング３０７の付勢力により収縮規制アーム３０６が非規制状態側に回動するので、修理の際に固定シリンダケース３０１と油圧天秤３０３の間に挟まれた収縮規制アーム３０６を回動させる作業が不要となり、修理作業に要する労力の軽減が図られる。
【０１２４】
なお、上記構成では、収縮規制アーム３０６は連携ワイヤ１２４により規制状態に回動し、トルク・スプリング３０７で非規制状態に回動する構成としているが、トルク・スプリング３０７で規制状態に回動し、連携ワイヤ１２４により非規制状態に回動する構成としてもよい。
【０１２５】
具体的には、車高調節レバー１２３が「高」ポジションまたは「低」ポジションにあるときは連携ワイヤ１２４が収縮規制アーム３０６を非規制状態側に回動させており、「固定」ポジションに操作すると連携ワイヤ１２４が緩んでトルク・スプリング３０７の付勢力により収縮規制アーム３０６が規制状態側に回動する構成とする。
【０１２６】
上記構成では、車高調節レバー１２３の「固定」ポジションへの操作により連携ワイヤ１２４が緩むと、トルク・スプリング３０７の付勢力によって収縮規制アーム３０６がすぐに規制状態側に回動するので、車高調節レバー１２３の操作による昇降用油圧シリンダ３００の収縮量をより小さく抑えられるので、車高がより確実に維持される。
【０１２７】
図１、図２及び図５に示すとおり、前記横フレーム１６は、前部梁フレーム１１０に前後方向の軸中心にローリング回動可能に装着されており、該横フレーム１６の左右両側部には、上下に長い縦フレーム１７を装着する。そして、左右前輪４５は、縦フレーム１７の下端部側方に固着した前輪車軸１８に回転自在に取り付けられている。従って、左右前輪４５は、機体の左右中央の前後方向の軸心回りにローリング動自在となっている。また、横フレーム１６の左右両側部を基準として、縦フレーム１７が上下調節可能に設けられており、前輪４５の高さ調節をすることが出来る構成としている。
【０１２８】
前記操縦ハンドル４７は、機体後部に設けられており、後輪４４の後輪車軸１２より機体後側に位置している。具体的には、ミッションケース３９に前端部を固定した機体フレーム１９の後端部に取り付けられている。
【０１２９】
機体フレーム１９は、機体の左右中央で後方に延び、また、前後中間部から斜め後上方に延びている。
【０１３０】
操縦ハンドル４７は、機体フレーム１９の後端部から左右に後方に延びてその各後端部を操縦ハンドル４７のグリップ部としている。
【０１３１】
なお、図２では、グリップ部を左右に分かれた構成としているが、操縦ハンドル４７の左右の後端部を互いに左右に連結してその連結部分をグリップ部としても良い。
【０１３２】
植付装置４２は、先端が下方に向かう嘴状の複数の植付具と、植付具の下端部が圃場面より上方となる位置と圃場面より下方となる位置とに植付具を上下動させる上下動機構２１と、嘴状の植付具の下端部が閉じて上方から苗を受け入れて内側に苗を収容可能する閉状態と植付具の下端部が左右に開いて内側に収容した苗を下方に放出可能とする開状態とに植付具を開閉する開閉機構とを備える。
【０１３３】
図１から図５に示すとおり、本実施の形態の植付装置４２は、第１植付ホッパ２０ａと第２植付ホッパ２０ｂを左右に並べて配備した、二条植の構成としている。これらの第１植付ホッパ２０ａ及び第２植付ホッパ２０ｂは、ミッションケース３９から伝動される伝動ケース２６の左右両側部に設けられた上下動機構２１に各々装着されている。
【０１３４】
そして、図９から図１４に示すとおり、上下動機構２１は、上下一対のリンクアーム２１ａ，２１ｂで構成されており、該上下のリンクアーム２１ａ，２１ｂは、前端部側を伝動ケース２６に上下回動可能に各々装着すると共に、後端部側を左右のリンクホルダ２１０，２１０の左右間に上下回動可能に各々装着する。上側リンクアーム２１ａの前端部は、伝動ケース２６に回転可能に装着する非円形カム２１１の回転軸から外周縁部側に離間する位置に設け、上下動機構２１により上下動される植付ホッパ２０ａ，２０ｂを前から後に揺動させる構成とする。
【０１３５】
なお、伝動ケース２６は、機体フレーム１９に下部を固定した取付部材の上部に固着されている。また、植付ホッパ２０ａ，２０ｂ及び上下動機構２１の後端部側は、側面視で左右の後輪４４，４４の後端部よりも機体後側に位置しており、各々の機体外側方は他の部材の無い空間部となっている。
【０１３６】
特に、上側リンクアーム２１ａの前端部を非円形カム２１１に装着する位置は、植付ホッパ２０ａ，２０ｂの静軌跡において、苗を受け取ってから下死点に向かうまでの間に植付ホッパ２０ａ，２０ｂを後傾姿勢から圃場面に対して略垂直な姿勢に変化すると共に、下死点から上昇し始めると垂直な姿勢から前傾姿勢に変化する位置とする。
【０１３７】
これにより、植付ホッパ２０ａ，２０ｂの動軌跡において、苗を植え付けるべく土中に進入する時間、及び距離を短くできるので、植付ホッパ２０ａ，２０ｂが圃場に形成する植付孔の大きさを小さく抑えられるので、苗が倒れて植付姿勢が乱れることが防止される。
【０１３８】
また、植付ホッパ２０ａ，２０ｂが上死点付近で大きく前傾した姿勢になるので、作業者が投入する苗を所定位置まで搬送して落下供給する苗供給装置４３の落下供給位置に植付ホッパ２０ａ，２０ｂの上端部を近付けることができるので、苗が植付ホッパ２０ａ，２０ｂ内に供給されず、欠株が発生することが防止される。
【０１３９】
そして、苗が落下供給されるときの植付ホッパ２０ａ，２０ｂが傾斜姿勢であることにより、植付ホッパ２０ａ，２０ｂ内に入り込んだ苗を上部側から下部側に向かって滑らせて移動させることができるので、植付ホッパ２０ａ，２０ｂ内に苗が留まり、植付ホッパ２０ａ，２０ｂが土中に入り込んでも苗が植え付けられず、欠株が発生することが防止される。
【０１４０】
なお、前記非円形カム２１１と上側リンクアーム２１ａの間には、複数の円弧上の調節長孔２１２ａ…を形成した調節プレート２１２を配置し、調節長孔２１２ａ…にボルト等の固定部材を差し込む位置を変更することで、作業者が意図する植付ホッパ２０ａ，２０ｂの前後傾斜角度に調節可能な構成とする。
【０１４１】
これにより、苗の長さや植付深さ等の作業条件に合わせて植付ホッパ２０ａ，２０ｂの前後傾斜角度を適切に調節できるので、苗が生育に適した姿勢や植付深さで植え付けられ、苗の生育が良好になる。
【０１４２】
前記上下動機構２１の昇降駆動力は、前記非円形カム２１１の回転軸よりも機体後側に設ける昇降駆動軸２１３から伝動される。該昇降駆動軸２１３には、不等円形状の昇降カム２１４を装着し、該昇降カム２１４と上側リンクアーム２１ａの左右間に、上側リンクアーム２１ａを上下回動させる昇降クランク２１５を設ける。なお、下側リンクアーム２１ｂは、上側リンクアーム２１ａの上下回動に連動して上下回動するものであり、上下動機構２１を平行リンクとするものである。
【０１４３】
前記昇降クランク２１５は、一端を昇降カム２１４から機体外側に向かう回動軸に装着し、他端を上側リンクアーム２１ａの機体内側に設ける連結プレート２１６に装着し、植付ホッパ２０ａ，２０ｂの軌跡を苗の植付、及び苗供給装置４３からの苗の受け取りに適したものとする。
【０１４４】
なお、連結プレート２１６は上側リンクアーム２１ａから機体下方に向かって突出させ、下端部を下側リンクアーム２１ｂの上端部乃至上端部よりも僅かに上方に位置させて配置し、連結プレート２１６の下端部付近に昇降クランク２１５の他端部を装着する。
【０１４５】
上記構成により、昇降クランク２１５を機体下方寄りに配置できるので、重心が機体下部寄りとなることで、機体が部材の重量等により前後に傾斜しにくくなり、苗の植付深さや植付姿勢が安定する。
【０１４６】
また、昇降クランク２１５の他端部を連結プレート２１６に装着することにより、上側リンクアーム２１ａが昇降クランク２１５から直接負荷を受けない構成となるので、上側リンクアーム２１ａの耐久性の向上が図られる。
【０１４７】
上記のとおり、昇降動作により掛かる負荷が小さいので、上下のリンクアーム２１ａ，２１ｂは、内部が中空の角パイプで構成するとよい。上下のリンクアーム２１ａ，２１ｂが軽量であると、昇降クランク２１５や昇降カム２１４を通じて伝動ケース２６に伝わる負荷が小さくなるので、伝動ケース２６の耐久性も向上する。
【０１４８】
また、重量によって上昇速度が遅くなり過ぎることや、下降速度が速くなり過ぎることがなく、植付ホッパ２０ａ，２０ｂの昇降軌跡が安定し、苗の植付姿勢や植付深さが安定し、生育が良好になる。
【０１４９】
さらに、伝動ケース２６と上下動機構２１の左右間に昇降カム２１４、昇降クランク２１５及び連結プレート２１６を配置したことにより、上下のリンクアーム２１ａ，２１ｂが上下回動時に干渉しない構成となるので、上下のリンクアーム２１ａ，２１ｂを両方とも直線状にでき、構成の簡素化や強度の維持が可能になる。
【０１５０】
なお、植付ホッパ２０ａ，２０ｂの昇降及び前後傾動を苗の植付により適したものとすべく、上側リンクアーム２１ａと下側リンクアーム２１ｂの前後長さは異なるものとする。本件では、上側リンクアーム２１ａが下側リンクアーム２１ｂよりも短く構成している。
【０１５１】
上下のリンクアーム２１ａ，２１ｂの後端部は、上記のとおり左右のリンクホルダ２１０，２１０の左右間に、上下間隔を空けて装着するが、このとき、上側リンクアーム２１ａの装着位置を下側リンクアーム２１ｂの装着位置よりも機体前側に位置させる。
【０１５２】
これにより、植付ホッパ２０ａ，２０ｂが上死点付近に上昇したときは、上下のリンクアーム２１ａ，２１ｂの後端部側の支点間距離が長くなり、植付ホッパ２０ａ，２０ｂの前後揺動量を小さく抑えられるので、苗供給装置４３の落下供給位置付近で植付ホッパ２０ａ，２０ｂ上側の前後位置量が変化しにくく、苗を受け取り損なうことが減少する。
【０１５３】
また、植付ホッパ２０ａ，２０ｂが下死点付近に上昇したときは、上下のリンクアーム２１ａ，２１ｂの後端部側の支点間距離が短くなり、植付ホッパ２０ａ，２０ｂの前後揺動量が大きくなるので、植付ホッパ２０ａ，２０ｂを後傾姿勢から前傾姿勢に変更させることができ、植付ホッパ２０ａ，２０ｂが苗に接触して倒したり傷付けたりすることが防止される。
【０１５４】
前記下側リンクアーム２１ｂの前端部には、植付ホッパ２０ａ，２０ｂを昇降位置に合わせて開閉させる開閉機構を作動させる開閉ワイヤ２２０を上端部側に装着した、開閉アーム２１８を前後回動可能に装着する。該開閉アーム２１８の上部後側には、前記非円形カム２１１の径が一定以上である部分が通過する際に接触する接触ローラ２１９を設ける。
【０１５５】
非円形カム２１１が接触すると開閉アーム２１８が前方回動して開閉ワイヤ２２０を引くことで、植付ホッパ２０ａ，２０ｂが閉じていき、非円形カム２１１が接触しなくなると開閉アーム２１８が後方回動して開閉ワイヤ２２０が緩むことで、植付ホッパ２０ａ，２０ｂが開いていく構成である。
【０１５６】
なお、植付ホッパ２０ａ，２０ｂが開くのは、下降途中から苗を植え付けて上昇し始める間であり、閉じるのは、苗を植え付けて上昇し始めてから苗を受けて再び下降する間であり、非円形カム２１１の形状は対応するものである。
【０１５７】
前記左右のホッパホルダ２１０，２１０の後部側には、機体後側に開口するコの字形状に切欠部２２１を各々形成する。該切欠部２２１の上部及び下部には、ホッパホルダ２１０の構成体が機体後方に突出するものとする。
【０１５８】
そして、前記左右のホッパホルダ２１０，２１０の後部には、図１０から図１４に示す、側面視で機体前側が開口するコの字形状の条間調節プレート２２２を設ける。該条間調節プレート２２２の上下の前方突出部２２２ａには、左右方向の切溝２２２ｂ…を、左右のホッパホルダ２１０，２１０の左右間隔と略同じ左右間隔を空けて各々形成し、該切溝２２２ｂ…各々ホッパホルダ２１０，２１０に差し込んで装着する。このとき、切欠部２２１と条間調節プレート２２２の前後間には、側面視で四角形の調整空間部２２３が形成される。
【０１５９】
前記条間調節プレート２２２は、左右中央部が上下動機構２１を構成する上下のリンクアーム２１ａ，２１ｂの後方に位置し、左右方向に略同じ長さに突出しており、機体後部に位置する上下の壁面には、左右方向に亘って条間調節長孔２２４を形成している。
【０１６０】
該条間調節プレート２２２の後部には、植付ホッパ２０ａ，２０ｂを機体後側に支持するホッパホルダ２２５を設ける。該ホッパホルダ２２５は、上部側を機体前側にＬ字状に折り曲げて接続部２２５ａを形成すると共に、左右両側には、機体後側に突出して植付ホッパ２０ａ，２０ｂとボルト等の締結部材２０９を介して連結する連結部２２５ｂ，２２５ｂを形成する。また、接続部２２５ａの下方で且つ連結部２２５ｂ，２２５ｂよりも上側の上下方向の壁面には、ボルト等の締結部材２０９の取付孔（図示省略）が一または左右方向に複数形成されている。なお、ホッパホルダ２２５は、側面視でＬ字状の接続部２２５ａを条間調節プレート２２２の上側と後部側に沿わせ、条間調節長孔２２４と取付孔が同じ上下高さに位置する状態で装着する。これにより、締結部材２０９を外す、または緩めると、ホッパホルダ２２５を条間調節プレート２２２に沿って左右方向に摺動可能になる構成である。
【０１６１】
左右の植付ホッパ２０ａ，２０ｂの左右の植付間隔、即ち条間を調節するときは、上記のとおり締結部材２０９を外すかあるいは緩め、ホッパホルダ２２５を条間調節プレート２２２の左右幅内の任意の位置に移動させ、締結部材２０９を取り付けるかあるいは締めることで決定される。
【０１６２】
なお、締結部材２０９は、ホッパホルダ２２５の取付孔を介して差し込んでおき、調整空間部２２３側に設けるナットにねじ込む、あるいは抜き出すことで位置固定状態と条間調節状態に切替可能な構成とする。
【０１６３】
上記の構成では、条間調節長孔２２４内に締結部材２０９が入り込んでいることにより、締結部材２０９がストッパとなりホッパホルダ２２５が条間調節プレート２２２の左右端部から脱落することを防止できる。
【０１６４】
左右の植付ホッパ２０ａ，２０ｂを備える、本件の条間調節構成では、左右の条間調節プレート２２２，２２２の左右間隔を大きく確保できることにより、左右の植付ホッパ２０ａ，２０ｂの条間が最も狭くなるとき、即ち各ホッパホルダ２２５，２２５を各条間調節プレート２２２，２２２の機体内側端部まで移動させたときでも、左右の植付ホッパ２０ａ，２０ｂ同士が干渉し合わない配置となる。これにより、条間をより狭く設定できるので、従来よりも多様な作業条件に対応できる。
【０１６５】
また、条間調節プレート２２２を上下動機構２１の後部に設けたことにより、条間調節プレート２２２が植付ホッパ２０ａ，２０ｂの左右移動を妨げることを防止できるので、条間調節プレート２２２の左右幅に亘ってより広い範囲で条間を設定することができ、さらに多様な作業条件に対応できる。
【０１６６】
また、リンクホルダ２１０，２１０の前後間と条間調節プレート２２２の開口部の間に調整空間部２２３が形成されることにより、作業者は左右の後輪４４，４４の後側で且つ機体外側の空間部でナットを締めたり緩めたりする作業を行うことができるので、条間調節作業を能率よく行うことができる。
【０１６７】
なお、ナットの厚みは調整空間部２２３の前後幅の半分以下とすると、条間調節プレート２２２の左右中央部、即ち上下のリンクアーム２１ａ，２１ｂの後方にナット着脱用の工具を入り込ませる作業空間が確保されるので、条間調節プレート２２２の左右幅内で植付ホッパ２０ａ，２０ｂを固定できない位置が発生せず、必要な条間設定が可能になる。
【０１６８】
上記の条間調節機構では、左右の植付ホッパ２０ａ，２０ｂは基本的に左右対称の方向に移動させる。例えば、条間を７０ｃｍとするときは、左右の植付ホッパ２０ａ，２０ｂを条間調節プレート２２２，２２２の左右外側端部に各々移動させ、条間を３０ｃｍとするときは、左右の植付ホッパ２０ａ，２０ｂを条間調節プレート２２２，２２２の左右内側端部に各々移動させる。その他の条間は、条間調節プレート２２２，２２２の左右幅内の任意の位置に移動させて設定するが、条間を何ｃｍに設定しているかを作業者が視覚的にわかりやすくすべき、条間調節プレート２２２，２２２にインジケータを設けるとよい。このインジケータは、シールを印刷したものを貼り付ける、条間調節プレート２２２に書き込む、または彫り込むものとする。
【０１６９】
しかしながら、作物の種類や圃場環境によっては、幅広い畝に二条よりも多い条、例えば四条を植え付けることもあり得る。一つの畝を一往復して四条植え付ける場合、植付位置を畝の進行方向における左右一側にオフセットさせるべく、左右の植付ホッパ２０ａ，２０ｂを共に条間調節プレート２２２，２２２の左右一側に寄せても苗の植付を行うことが可能である。これにより、さらにさらに多様な作業条件に対応できる。
【０１７０】
前記植付ホッパ２０ａ，２０ｂは、ホッパホルダ２２５の上方にホッパカバー２２６を機体後側向きに向けて被せ、機体後側で且つ左右両側の上面を切り欠いて開放空間部を形成する。そして、前記ホッパホルダ２２５の後部側の壁面とホッパカバー２２６の後部側の壁面の前後間に左右の回動支軸２２７，２２７を各々設け、該回動支軸２２７，２２７には各々回動アーム２２８，２２８を回動可能に装着する。該左右の回動アーム２２８，２２８は、大部分が開放空間部から上方に突出させる。
【０１７１】
該左右の回動支軸２２７，２２７は、リンクホルダ２１０，２１０の切欠き部２２１や、条間調節プレート２２２よりも機体下側に配置する。
【０１７２】
これにより、ホッパホルダ２２５側の回動支軸２２７，２２７を条間調節プレート２２２の下部側で、且つリンクホルダ２１０，２１０と前後間隔を大きく開けることなく配置できるので、植付ホッパ２０ａ，２０ｂの前後位置が後ろに寄り過ぎず、コンパクトな構成とすることができる。
【０１７３】
なお、該回動アーム２２８，２２８のうち、機体外側に開閉ワイヤ２２０のケーブルアウターを装着し、機体内側にケーブルインナーを接続して、開閉ワイヤ２２０の引っ張りと弛みにより左右の回動アーム２２８，２２８が回動する構成とする。
【０１７４】
また、前記左右の回動支軸２２７，２２７には、左右一対のホッパステー２２９，２２９を下部側に装着する、コの字形状の開閉アーム２３０，２３０を左右回動可能に各々装着する。該開閉アーム２３０，２３０は、ホッパステー２２９，２２９の前後及び側面の上方を覆う形状であり、図１３に示すとおり、前後面の上部側には、左右方向の凹凸が上下方向に交互に噛み合うギア部２３０ａ，２３０ａが各々形成されている。このギア部２３０ａ，２３０ａの噛み合いにより、開閉アーム２３０，２３０の開閉時の回動量を同調させる構成であり、植付ホッパ２０ａ，２０ｂから苗を偏りなく開放可能な開度となる構成とする。
【０１７５】
また、開閉アーム２３０，２３０の前後面の機体下部側には、左右各々に支持ピン２３２，２３２を設け、該左右の支持ピン２３２，２３２に、左右の開閉アーム２３０，２３０を互いに近接し合う方向に付勢するスプリング２３３を前後に各々配置する。
【０１７６】
また、前記ホッパステー２２９，２２９は、前後の上方に折り曲げた部分を開閉アーム２３０，２３０の前後部と連結し、前後方向の底部の各機体内側部には、左右一対のホッパ構成体２３１，２３１を装着する半円形状の切欠部（図示省略）を形成している。該左右のホッパ構成体２３１，２３１は、開くときには下端部側ほど左右方向に大きく開くと共に、閉じたときは上下に亘って端面同士が略均等に接する構成とする。また、ホッパ構成体２３１，２３１の下端部付近は板状に形成し、土中に進入するときの抵抗を軽減する形状とする。
【０１７７】
さらに、前記ホッパカバー２２６に、左右のホッパ構成体２３１，２３１の最上部と略同径、乃至僅かに小径の開口部（図示省略）を形成し、この開口部に、苗供給装置４３から供給される苗を入り込ませて左右のホッパ構成体２３１，２３１の内部に案内する苗ガイド２３４を差し込んで装着する。なお、前記左右のホッパ構成体２３１，２３１の上端部付近の径は、上端部付近から下側の径よりも大径とする。
【０１７８】
該苗ガイド２３４のうち、ホッパカバー２２６よりも下側は略同径とし、ホッパカバー２２６よりも上側は、機体上側ほど大径に構成し、側面視及び背面視でテーパ形状とする。
【０１７９】
苗ガイド２３４の上部側がテーパ形状であることにより、上端側の径が最大になるので、苗が落下供給される位置が多少ずれても苗を受け止めることができ、植付ホッパ２０ａ，２０ｂが苗を植え付け損なうことが防止される。
【０１８０】
また、苗ガイド２３４の下部側の径を、ホッパ構成体２３１，２３１の上端部の径と略同径、乃至僅かに小径としたことにより、苗ガイド２３４とホッパ構成体２３１，２３１の間に隙間が生じないので、苗を確実に引き継がせることができ、確実に苗を植え付けられる。
【０１８１】
各苗収容体２２は、上下に開口する筒状体と、その筒状体の下側の開口部を開閉する底蓋とを有し、互いにループ状に連結している。
【０１８２】
移動機構２３は、連結した各苗収容体２２が左右の植付ホッパ２０ａ，２０ｂの上方近傍を通過する状態で、機体平面視で左右に長い長円形状のループ状の軌跡で、連結した苗収容体２２を左回りに周回動させる。
【０１８３】
苗落下機構は、苗収容体２２の底蓋を、その苗収容体２２に対応する、植付ホッパ２０ａ，２０ｂの上方位置で開放する。
【０１８４】
本実施の形態では、苗収容体２２の外周に円筒外周部を形成し、その円筒外周部に外側から回動自在に接続する係合部（丸孔）を設けて、２つの苗収容体２２を連結する連結体を複数形成した。そして、その連結体の係合部を苗収容体２２の円筒外周部に回動自在に接続し、その円筒外周部を回動軸として隣の苗収容体２２が回動自在に連結する状態として、複数の苗収容体２２を互いに連結した構成としている。すなわち、苗収容体２２と連結体とで無端チェーンの如く連結した構成である。
【０１８５】
これにより、苗収容体２２は、直線的に移動する直線状部分２８でも円弧状に移動する円弧状部分２９でも隣接する苗収容体２２との間隔が変わらないので、苗収容体２２から左右の植付ホッパ２０ａ，２０ｂに苗を供給する個所で、苗収容体２２の左右の植付ホッパ２０ａ，２０ｂを基準とした位置ズレが生じ難くなり、苗供給が適正に行われて適確な苗の植え付けが出来る。
【０１８６】
苗供給装置４３の移動機構２３は、無端チェーンの如く互いに連結する苗収容体２２を、左右に設けたスプロケットの外周の円弧状切欠部に巻き掛け、この左右のスプロケットを伝動ケース２６内から取り出した動力で駆動回転することにより、各苗収容体２２を周回動させる構成としている。
【０１８７】
苗収容体２２が周回する周回移動経路は、平面視で左右方向に延びる直線状部分２８と、スプロケットにより直線状部分２８から前側または後側に円弧状に曲がる円弧状部分２９とを備えた長円状であり、左右の後輪４４より機体内側に配置されている。
【０１８８】
前記苗供給装置４３の苗収容体２２は、直線状部分２８では比較的安定して所定方向に移動するが、左右両側部の円弧状部分２９では、苗収容体２２同士の間隔が狭まったり広くなったりして、苗供給装置４３の駆動に負荷を与えて破損させたり、苗の落下供給タイミングが不安定になったりするおそれがある。これを防止すべく、複数の苗収容体２２の内周縁部で、且つ苗供給装置４３の左右両外側部には、駆動回転するスターホイル２４０，２４０を各々設けており、該スターホイル２４０，２４０の外周縁部には等間隔に突起部が形成されている。これらの突起部を苗収容体２２の間隔部に入り込ませることで、苗供給装置４３の左右両側の円弧状部分２９を通過するときの各苗収容体２２の位置を各々保つことにより、過負荷の発生や、苗の落下供給タイミングのズレの発生を防止している。
【０１８９】
作業者は、作業座席４６に着座、あるいはフロアステップ１２２上に立って苗供給装置４３に苗の供給作業を行うが、補充用の苗が無くなったときや何らかの問題、例えば苗の植付姿勢が連続して異常、苗が植え付けられない等、が生じたときは、走行車体４０の走行の停止や、植付ホッパ２０ａ，２０ｂの駆動を止める必要がある。また、作業者のペースよりも走行速度や植付ホッパ２０ａ，２０ｂの昇降ペースが速いときは、エンジン４１の出力を低下させ、作業を行いやすい速度に変化させる必要がある。
【０１９０】
上記の操作を、図４及び図５に示すとおり、作業座席４６に着座したまま、あるいはフロアステップ１２２上から降りることなく行うべく、前記苗供給装置４３の機体前側で、且つ左右一側端部、即ち、作業座席４６に着座した作業者の右手側には、エンジン４１の始動の可否を切り替えると共に停止操作を行う第２エンジンスイッチ４０８を設けると共に、該第２エンジンスイッチ４０８よりも機体内側（機体左右他側）寄りとなる位置には、エンジン４１の出力を増減操作する第２スロットルレバー４０９を機体左右方向に回動操作可能に設ける。
【０１９１】
なお、前記第２エンジンスイッチ４０８は、第１エンジンスイッチ４０７と同じ操作方法であるが、エンジン４１は、これら第１エンジンスイッチ４０７と第２エンジンスイッチ４０８の両方が入位置に操作されていなければ始動しないものとする。
【０１９２】
これにより、移動時等作業者が機体の後方で操縦ハンドル４７を握って操縦するときは第１エンジンスイッチ４０７で停止操作ができると共に、苗の植付作業時等走行車体４０に搭乗しているときは第２エンジンスイッチ４０８を切操作してエンジン４１を停止させることができるので、搭乗中に走行車体４０から降りて第１エンジンスイッチ４０７を切操作しに行く必要が無く、植付あるいは機体に問題を生じさせる動作を中断することができる。
【０１９３】
また、第２スロットルレバー４０９を走行車体４０上から操作できるので、エンジン４１の出力を増減操作する際に走行車体４０を乗り降りする必要が無く、作業能率や作業精度が向上する。
【０１９４】
前記第２スロットルレバー４０９は、作業内容にもよるが、操作する頻度はそれほど高いものではなく、また、作業者が苗供給装置４３に苗を投入する位置の近くに配置されているので、必要ないときは作業者の腕の動きを妨げない位置にあることが望ましい。
【０１９５】
これを実現すべく、図２５に示すとおり、苗供給装置４３の機体前側に、第２スロットルレバー４０９が入り込むことが可能な収納空間部４０９ａを形成し、該収納空間部４０９ａの内部に、第２スロットルレバー４０９を引き込む側に付勢する収納スプリング４１０を配置する。第２スロットルレバー４０９は、ある程度機体前側に引き出さないと収納空間部４０９ａの左右側壁に接触して回動できない構成とすると共に、作業者が手を離すと収納空間部４０９ａ内に引き込まれる構成とする。
【０１９６】
これにより、第２スロットルレバー４０９を操作しないときは収納空間部４０９ａ内に入り込ませることで、苗供給装置４３から機体前方への第２スロットルレバー４０９の突出量を抑えることができるので、作業者の手が第２スロットルレバー４０９に接触して意図しないエンジン４１の出力の変化が生じることが防止される。
【０１９７】
あるいは、図２６に示すとおり、第２スロットルレバー４０９を、苗供給装置４３側に設けるスロットルアーム４０９ｂと、該スロットルアーム４０９ｂの機体前側端部に回動可能に設ける操作アーム４０９ｃと、該操作アーム４０９ｃを機体後側で且つ上方に付勢する付勢スプリング４１１を設け、操作アーム４０９ｃが操作されていないときは、苗供給装置４３の機体前部に接する構成としてもよい。
【０１９８】
これにより、第２スロットルレバー４０９を操作しないときは苗供給装置４３側に回動させておくことで、苗供給装置４３から機体前方への第２スロットルレバー４０９の突出量を抑えることができるので、作業者の手が第２スロットルレバー４０９に接触して意図しないエンジン４１の出力の変化が生じることが防止される。
【０１９９】
また、左右の植付ホッパ２０ａ，２０ｂは、後輪車軸１２の位置よりも後側に配置している。
【０２００】
苗供給装置４３は、左右の植付ホッパ２０ａ，２０ｂに合わせて苗収容体２２が一回りで周回移動して苗を供給する構成としている。
【０２０１】
植付ホッパ２０ａ，２０ｂは、それぞれ第１落下供給位置３１ａ及び第２落下供給位置３１ｂで、苗収容体２２から苗が落下供給される。
【０２０２】
そして、左右の植付ホッパ２０ａ，２０ｂに対応して落下供給する苗を収容する苗収容体２２を各別に設けており、苗収容体２２が対応する左右の植付ホッパ２０ａ，２０ｂの上方にきたときのみ底蓋が開き、対応しない左右の植付ホッパ２０ａ，２０ｂの上方では底蓋が開かない構成としている。
【０２０３】
すなわち、植付ホッパ２０ａに対応する苗収容体２２は第１落下供給位置３１ａにきたときのみ、植付ホッパ２０ｂに対応する苗収容体２２は第２落下供給位置３１ｂにきたときのみ、それぞれの底蓋が開いて対応する植付ホッパ２０ａ，２０ｂに苗が供給される構成となっている。
【０２０４】
なお、第１落下供給位置３１ａ及び第２落下供給位置３１ｂは、左右の植付ホッパ２０ａ，２０ｂの条間を調節した際、対応する位置に移動可能な構成とする。
【０２０５】
移動機構２３の作動周期は、上下動機構２１の作動周期に同期する設定にされており、左右の植付ホッパ２０ａ，２０ｂに対応する苗収容体２２を合わせて１つの苗収容体ユニットとして、その苗収容体ユニットを複数連結した構成とすることにより、苗収容体２２が左右の落下供給位置３１ａ、３１ｂを直列的に通過しながら、左右の植付ホッパ２０ａ，２０ｂに対応して苗供給漏れが生じることなく苗を供給でき、且つ左右の落下供給位置３１ａ、３１ｂを通過した後に苗が供給されなかった苗収容体２２が生じなくすべく、余すことなく左右の植付ホッパ２０ａ，２０ｂに対応して苗を供給出来る構成としている。
【０２０６】
本実施の形態の移植機１０は、左右の植付ホッパ２０ａ，２０ｂが植え付けた苗に合わせて覆土鎮圧することに利用される覆土鎮圧輪３７を左右の植付ホッパ２０ａ，２０ｂの苗植え付け個所の各後方左右両側近傍位置に設けている。該左右の覆土鎮圧輪３７は、一本の棒材を平面視Ｊ形状に屈曲させて構成した、各々別個に上下回動自在な鎮圧アーム３７０，３７０と、該左右の鎮圧アーム３７０，３７０の後部側に、各々左右一対回転自在に設けられる鎮圧回転体３７１，３７１で構成する。
【０２０７】
なお、鎮圧アーム３７０は、機体内側に位置する一側端部が走行車体４０の後部側に上下回動自在に装着され、後方に向かって突出する直線部分の後部を上方に屈曲させた後、機体外側に屈曲させ、さらに下方に屈曲させて機体内側の直線部分と同じ上下位置で機体前側に屈曲させている。そして、左右の鎮圧回転体３７１，３７１のうち、機体外側の鎮圧回転体３７１は機体前側に屈曲する機体外側の直線部分に設けられ、機体内側の鎮圧回転体３７１は機体内側の直線部分に装着される。
【０２０８】
上記構成により、鎮圧アーム３７０の後部に、機体上方に向かって突出する回避部分３７２が形成され、左右の鎮圧回転体３７１，３７１は左右間隔を空けて配置される。これにより、植付ホッパ２０ａ，２０ｂが植え付けた苗は、左右の鎮圧回転体３７１，３７１の左右間隔部を通過しつつ周辺の土を均されると共に、回避部分３７２の下方を通過するので、覆土鎮圧輪３７，３７に押し倒され、植付姿勢が乱れることが防止される。
【０２０９】
なお、左右の鎮圧アーム３７０，３７０は各々機体左右位置を調節可能に装着し、植付ホッパ２０ａ，２０ｂの条間設定に合わせて鎮圧する位置を変更可能に構成する。また、左右の鎮圧回転体３７１，３７１についても、各々左右位置を調節可能に構成すると、植付後の苗の周囲の土を確実に固められ、苗が倒伏や低温により生育不良を起こすことが防止される。
【０２１０】
走行車体４０が作業を行う圃場は、山間部等では平坦でなく、傾斜状態である場所も存在する。移植機は、進行方向後側に伝動ケース２６や苗供給装置４３、植付ホッパ２０ａ，２０ｂ等の重量物が搭載されており、上り傾斜では機体前側が浮き上がりやすくなる。これを抑えるべく、走行車体４０の前側にはエンジン４１やミッションケース３９を配置すると共に、作業者が搭乗する作業座席４６を配置して前後の重量バランスを取っているが、それでも傾作業場所によっては機体前側が浮き上がる、前上がり傾斜姿勢になることがある。これにより、苗が畝面に後方傾斜姿勢で植え付けられ、見た目が悪くなるだけでなく生育に支障を来すおそれがある。特に、作業の進行により燃料タンク内の燃料が消費されると共に、予備苗枠５０に積載した補充用の苗が減少することにより、機体前側の重量が変動して、前上がり傾斜姿勢になりやすい傾向がある。
【０２１１】
また、苗供給装置４３から植付ホッパ２０ａ，２０ｂに苗が投入される際、植付ホッパ２０ａ，２０ｂの上側開口部に苗が入らず、圃場に落下する上、本来植付が行われる位置では欠株が発生するおそれがある。植付ホッパ２０ａ，２０ｂ内に苗が入り込んだとしても、植付ホッパ２０ａ，２０ｂ内の機体後側に寄って投入されるので、走行車体４０の前後傾斜と相まってより植付姿勢が乱れるおそれがある。
【０２１２】
さらに、傾斜角度が大きくなり過ぎると、走行車体４０が転倒し、積載した苗が圃場にまき散らされ、拾い集める手間が生じると共に、転倒時に圃場面に接触して機体各部が破損するおそれがある。
【０２１３】
これを防止すべく、図２７及び図２８に示すとおり、前記左右の鎮圧アーム３７０，３７０の取付基部側に、走行車体４０が所定角度以上回動すると左右の鎮圧アーム３７０，３７０に接触する、左右の過剰傾斜センサ１９４，１９４を各々設ける。該左右の過剰傾斜センサ１９４，１９４は、左右どちらか一方が押されて検知状態になると、走行車体４０が所定角度（例：５〜１０度）以上に前上がり傾斜する姿勢になっていると判断し、エンジン４１を停止させるか、あるいはミッションケース３９内において、左右の走行伝動ケース３８及び伝動ケース２６への駆動力の伝動を遮断する。
【０２１４】
なお、エンジン４１の停止は、ソレノイド等の停止アクチュエータ４１ａを作動させて行うものとする。また、左右の走行伝動ケース３８及び伝動ケース２６への駆動力の伝動の遮断は、ミッションケース３９に内装する走行クラッチ（図示省略）の入切を切り替える走行伝動アクチュエータ３８ａ、植付クラッチ（図示省略）の入切を切り替える植付伝動アクチュエータ２６ａを各々作動させる、あるいは、走行クラッチ及び植付クラッチよりも伝動上手側の主クラッチ（図示省略）を入切する主伝動アクチュエータ１２５ａを作動させて行うものとする。
【０２１５】
これにより、走行車体４０が苗の植付作業に適さない傾斜姿勢になると植付作業走行が自動停止するので、苗の植付姿勢が乱れることが防止されると共に、転倒により機体各部が破損することが防止される。
【０２１６】
また、図２７及び図２９に示すとおり、左右の過剰傾斜センサ１９４，１９４の左右どちらか一方が検知状態になると植付作業走行が停止することにより、走行車体４０が機体左右方向にも傾斜しても、過剰な前上がり傾斜を検知することができる。
【０２１７】
なお、左右の過剰傾斜センサ１９４，１９４が検知状態になるときは、機体前側に荷重をかける必要があるので、バンパー１０９等にバランスウェイト（図示省略）の装着部を形成する。
【０２１８】
上記の走行車体４０の前上がり傾斜は、植付作業走行中に発生すると問題になるが、苗を植え付けない作業時、例えば圃場への移動時や、軽トラック等の輸送手段に積み下ろしする際には、作業者が機体後部から操縦ハンドル４７を持って操縦しているので、特に問題にならないし、そもそも発生し得ない。しかしながら、段差を乗り越えるときや、荷台に移動させるあゆみを移動するときには、走行車体４０を左右の過剰傾斜センサ１９４，１９４が傾斜を検知する傾斜角度以上に前上がり傾斜させる必要がある。このとき、エンジン４１、あるいは走行伝動が停止してしまうと、作業者は人力で走行車体４０を移動させねばならず、余分な労力が必要になると共に、エンジン４１を再始動しなければならず、さらに余分な労力や燃料の消費が必要になる問題が生じる。
【０２１９】
これを防止すべく、作業座席４６、あるいはフロアステップ１２２の中央ステップ１１９のいずれか一方、あるいは両方に、作業者の搭乗を検知する搭乗検知センサ１９５を設ける。該搭乗検知センサ１９５が作業者の搭乗を検知しているときに、左右の過剰傾斜センサ１９４，１９４が過剰な傾斜を検知すると、エンジン４１、あるいは走行及び植付伝動が停止し、作業者の搭乗を検知していないときは、左右の過剰傾斜センサ１９４，１９４が過剰な傾斜を検知しても、エンジン４１、あるいは走行及び植付伝動を停止させない回路構成とする。
【０２２０】
これにより、植付作業を行っていないときは、走行車体４０を駆動力により移動させ続けることができるので、作業能率が向上すると共に、作業者の労力の軽減が図られる。
【０２２１】
なお、搭乗検知センサ１９５は、機体上に作業者が積載した荷物（例えば、苗が入っていた空箱、情報端末、水筒やペットボトル）の重量により、作業者の搭乗を誤検知することを防止すべく、検知とみなす荷重を所定重量（例：３０〜４０ｋｇ）以上に設定しておき、作業者が搭乗していることを確実に検知させることが望ましい。
【０２２２】
さらに誤検知を防止するには、図３０に示すとおり、前記第１畝端センサ１８２が畝端への到達を検知していない状態であり、且つ左右の過剰傾斜センサ１９４，１９４のどちらか一方、あるいは両方が検知状態であることを条件とするとよい。畝上を通過していない場所では、第１畝端センサ１８２のセンサアーム１８３は下方に回動しており、常に畝端を検知している状態であると共に、前上がり傾斜姿勢では地面に凹凸があっても接触しにくいので、誤検知によるエンジン４１や走行及び植付伝動の停止が防止される。
【０２２３】
上記左右の植付ホッパ２０ａ，２０ｂは、苗の植付作業条件に合わせて左右位置を調節し、条間を変更することが可能であるが、設定条間に合わせて前記畝面センサ１４の接地位置を変更しないと、検知精度が低下するおそれがある。
【０２２４】
前記走行車体４０は、昇降用油圧シリンダ３００により左右の走行伝動ケース３８を上下回動させて植付深さを変更する構成であることは上述しているが、左右の植付ホッパ２０ａ，２０ｂの植付深さを各々できる限り適切にすべく、左右の走行伝動ケース３８のうち、左右一方、本件では機体左側の走行伝動ケース３８を別個に上下回動させる、ローリング制御も組み込まれている。
【０２２５】
具体的には、前記左側の走行伝動ケース３８と、油圧天秤３０３の機体左側端部の間にローリングシリンダ３１０を配置し、前記左右の覆土鎮圧輪３７の上下回動量の差に合わせて、ローリングシリンダ３１０を伸長または収縮する構成である。
【０２２６】
なお、畝面センサ１４は、畝端を越えて接地しなくなると下方回動し、その際に走行車体４０の車高を下降させる。これにより、作業者は次の植付作業を行う畝で改めて車高調節を行う必要があるので、適切な植付作業高さの調節が行われ、苗の植付精度が向上する。
【０２２７】
図３１に示すとおり、前記畝面センサ１４の機体左右一側には、畝面センサ１４と共に接地して上方回動し、畝端に到達すると下方回動して、走行車体４０が苗の植付スペースを越える位置に到達したことを検知する第２畝端センサ１８８を設ける。該第２畝端センサ１８８は、畝端検知回動アーム１８９を畝面センサ１４の機体左右一側に回動自在に設け、該畝端検知回動アーム１８９の下部に、畝端検知接地プレート１９０と、該畝端検知接地プレート１９０が下方回動すると畝端検知回動アーム１８９が離間して入状態（あるいは切状態）になる第２畝端検知スイッチ１９１を設けて構成する。
【０２２８】
図２７及び図３２に示すとおり、前記第１畝端検知スイッチ１８６が畝端を検知している状態で該第２畝端検知スイッチ１９１が畝端を検知すると、エンジン４１が停止する、あるいは、ミッションケース３９内の左右の走行伝動ケース３８及び伝動ケース２６への駆動力の伝動を遮断する構成とする。
【０２２９】
上記構成により、苗の植付スペースに全て苗を植え付けた後、畝から離れる前に走行及び植付伝動が遮断されるので、余分な走行や植付動作が防止され、燃料消費が抑えられると共に、苗が畝以外の箇所で放出され、地面に落下することが防止される。
【０２３０】
また、第１畝端センサ１８２と第２畝端センサ１８８が共に畝端を検知しないと走行及び植付伝動が遮断されないことにより、例えば、畝面に生じた大きな窪みにより第２畝端センサ１８８が下方回動して第２畝端検知スイッチ１９１が検知状態になっても植付作業走行が中断されることがなく、作業能率の低下が防止される。
【０２３１】
さらに、第１畝端センサ１８２と第２畝端センサ１８８が機体前後方向において離間して配置されることにより、畝の途中に大きな窪みが生じており、第１畝端センサ１８２と第２畝端センサ１８８が各々大幅に下方回動する箇所があっても、どちらか一方が接地していれば植付作業走行が中断されることがなく、作業能率の低下が防止される。
【０２３２】
なお、上記の第２畝端センサ１８８に替えて、前記畝面センサ１４と左右の過剰傾斜センサ１９４，１９４を畝端での走行車体４０の停止に用いてもよい。
【０２３３】
図３３に示すとおり、走行車体４０が前進し、畝面センサ１４が畝面から離れて下方回動すると、昇降用油圧シリンダ３００が伸長して左右の走行伝動ケース３８，３８が上方回動し、走行車体４０の車高を下げる。このとき、左右の覆土鎮圧輪３７，３７はまだ畝面に接地しているので、左右の鎮圧アーム３７０，３７０は上方に回動し、左右の過剰傾斜センサ１９４，１９４に接触することになる。
【０２３４】
これにより、エンジン４１、または走行及び植付伝動が停止され、畝端で且つ畝上の植付スペースに苗を植え付けた位置で走行車体４０を停止させることができるので、余分な燃料や苗の消費が防止される。
【０２３５】
なお、上記構成に第２畝端センサ１８８を加えて、第１畝端センサ１８２と第２畝端センサ１８８の両方が畝端を検知した状態で左右の過剰傾斜センサ１９４，１９４が検知状態になると、エンジン４１、または走行及び植付伝動が停止される構成としてもよい。
【０２３６】
図３４に示すとおり、第２畝端センサ１８８を用いることにより、畝面に接地した状態の第１畝端センサ１８２が畝面の凸部により上方回動し、且つ畝面の凸部により左右の鎮圧アーム３７０，３７０が上方回動して過剰傾斜センサ１９４，１９４に接触しても、走行及び植付伝動が停止しないので、誤検知の防止をより強固に防止できる。
【０２３７】
なお、この構成においては、第１畝端センサ１８２が畝端を検知していない状態で左右の鎮圧アーム３７０，３７０が左右の過剰傾斜センサ１９４，１９４に接触すると、エンジン４１、または走行及び植付伝動を停止させる条件とし、走行車体４０が前上がり傾斜姿勢になったときに確実に停止する構成とする。なお、第１畝端センサ１８２は、左右の鎮圧アーム３７０，３７０が左右の過剰傾斜センサ１９４，１９４に接触する前上がり傾斜角度では、畝面に接地した状態となる構成とする。
【０２３８】
本件の移植機には、苗供給装置４３に苗を補給する作業者が乗車して苗補給作業を行うべく、作業者が座る作業座席４６を設けている。具体的には、苗供給装置４３の前側となる機体左右中央位置に後向きに作業座席４６を配置している。作業座席４６に座る作業者は、苗供給装置４３の前側部に向って後側向き姿勢で着座して、苗供給装置４３の前側部、特に苗収容体２２の周回移動経路における前側の直線状部分２８に対応して苗補給作業を行う。
【０２３９】
また、前記操縦パネル４７ａの左右他側には、ミッションケース３９に内装され、左右の走行伝動ケース３８及び伝動ケース２６への駆動力の伝動を入切する主クラッチレバー１２５を設ける。
【０２４０】
本発明の移植機において、機体後部の操縦ハンドル４７による作業者の操作は、圃場への移動、輸送手段からの積み下ろし、倉庫への収納や、圃場端での旋回のときに行われるものである。一方、苗の植付作業時には、作業者は走行車体４０の作業座席４６に搭乗しており、操縦ハンドル４７の操縦パネル４７ａでの操作を行うことは困難である。
【０２４１】
従って、走行車体４０上には、作業座席４６に搭乗した作業者用の、車体上操縦部１２６を設ける。
【０２４２】
図４及び図２０に示すとおり、前記苗供給装置４３の下部には、機体後側に上方傾斜する後部ステップ１２７を設け、該後部ステップ１２７の左右どちらか一側、本件では機体右側（作業座席４６に着座した作業者を基準とすると左側）の端部に、図４、図５及び図２０に示すとおり、車体上操縦部１２６を設ける。
【０２４３】
該車体上操縦部１２６は、最も機体外側に、走行車体４０の車高を調節して植付ホッパ２０ａ，２０ｂの植付深さを調節する第２車高調節レバー１２８を配置し、該第２車高調節レバー１２８よりも機体内側に、第２主クラッチレバー１２９を配置する。
【０２４４】
なお、苗の植付作業時は、基本的に車高を固定する必要が無いので、第２車高調節レバー１２８は「高」ポジションと「低」ポジションのみを有する構成とする。
【０２４５】
そして、前記後部ステップ１２７の外側端部には、第２車高調節レバー１２８を枠内に収めると共に車高の目安を示す表示目盛りを形成した車高調節レバーガイド１３０を機体前側に向かう上方傾斜姿勢で設け、該車高調節レバーガイド１３０の機体内側方には、第２主クラッチレバー１２９を枠内に収める主クラッチレバーガイド１３１を機体前側に向かう上方傾斜姿勢で設ける。
【０２４６】
なお、第２車高調節レバー１２８は、第２主クラッチレバー１２９よりも機体前側への突出量を大きくする。
【０２４７】
また、前記第２車高調節レバー１２８と第２主クラッチレバー１２９は、機体左右一側（機体右側）の前記取付支持プレート１０５、及び前後の梁フレーム１０６ｆ，１０６ｒに基部側を回動可能に装着するものとすると、別途取付部材を設ける必要が無く、部品点数の削減が図られる。
【０２４８】
さらに、前記車体上操縦部１２６よりも機体左右他側、即ち機体左側には、左右のサイドクラッチを入切操作するサイドクラッチペダル１３２Ｌ，１３２Ｒを、後部ステップ１２７の上面に露出させて設ける。
【０２４９】
前記車高調節レバーガイド１３０と主クラッチレバーガイド１３１は、側部ステップ１１８の上面との間に一定の上下間隔Ｓを空けて配置するものとする。上記の上下間隔Ｓは、作業者の足を入り込ませても空間が確保される程度（例：１５〜２０ｃｍ程度）とする。
【０２５０】
上記構成により、フロアステップ１２２上、及び作業座席４６に搭乗した作業者は、走行車体４０から降りることなく植付深さの手動操作や、植付作業の入切を手動操作することができるので、作業能率が向上すると共に、苗の植付精度が向上する。
【０２５１】
また、第２主クラッチレバー１２９を第２車高調節レバー１２８よりも作業座席４６に近付く機体内側に配置したことにより、苗の補充や植付状態の修正、休憩等の際に使用する第２主クラッチレバー１２９に作業者の手が届きやすく、労力の軽減が図られる。
【０２５２】
特に、問題の発生時に速やかに苗の植付作業を中断でき、苗の植え直し作業が不要になると共に、生育に適さず破棄される苗の数が減少する。
【０２５３】
また、第２車高調節レバー１２８を第２主クラッチレバー１２９よりも機体前側に突出させたことにより、作業座席４６から遠い側の第２車高調節レバー１２８を操作する際に腕を大きく伸ばす必要が無く、作業者の労力が軽減される。
【０２５４】
そして、後部ステップ１２７に左右のサイドクラッチペダル１３２Ｌ，１３２Ｒを設けたことにより、走行車体４０の進行方向が畝を基準とする直進方向から外れかけているときに前記サイドクラッチペダル１３２Ｌ，１３２Ｒのどちらかを操作して対応するサイドクラッチを一時的に切状態とすることで、走行車体４０の進路を修正でき、苗の植付位置が左右方向に蛇行することが防止される。
【０２５５】
また、車高調節レバーガイド１３０と主クラッチレバーガイド１３１、即ち車体上操縦部１２６と側部ステップ１１８の上下間に上下間隔Ｓが形成される構成としたことにより、作業座席４６に搭乗する作業者の足の動きが妨げられず、作業者は楽な姿勢で操縦座席４６に搭乗でき、労力の軽減が図られる。
【０２５６】
作業座席４６の左右両側で機体側面視で後輪４４の後輪車軸１２の上方位置に、苗供給装置４３に補給する苗を収容可能な予備苗枠５０を設けている。
【０２５７】
前記予備苗枠５０は、走行車体４０の機体外側に突出する苗載支柱５１の上部に支持ステー５２を設け、該支持ステー５２に回動状態と非回動状態を切替可能な苗載回動アーム５３を設け、該苗載回動アーム５３には上下方向の苗枠フレーム５４，５４を間隔を開けて配置すると共に、該苗枠フレーム５４，５４の同じ面に、補充用の苗を収容する苗箱や苗トレイ等の容器を載置する載置台５５の一側端部を装着して構成する。
【０２５８】
該載置台５５は、上下方向に一つだけ設けてもよいが、容器の取り出しに支障の無い上下方向の間隔を空けて複数配置してもよい。
【０２５９】
上記構成の予備苗枠５０は、走行車体４０の左右両側に各々設け、状況に合わせて支持ステー５２上で苗載回動アーム５３を回動させる。
【０２６０】
例えば、苗の植付作業時には、載置台５５の長手方向を機体前後方向に向けることで、載置台５５から苗の容器を取り出したり、空になった容器を戻しやすくすることで、作業能率を向上させることができる。
【０２６１】
また、この位置では載置台５５が走行車体４０の左右両側に位置するので、作業者が走行車体４０の搭乗可能な部分の端部を把握しやすくなり、走行車体４０上から足がはみ出し、姿勢を崩すことが防止される。
【０２６２】
また、走行車体４０に作業者が乗り降りするときには、苗載回動アーム５３を約９０度回動させる。
【０２６３】
これにより、走行車体４０の左右両側に乗り降りの空間部が形成される。
【０２６４】
また、作業者は走行車体４０の機体前側からも乗り降りすることができるが、苗載回動アーム５３を回動させて苗枠フレーム５４，５４が機体前側に位置し、載置台５５が機体後側に位置する状態とすると、作業者は苗枠フレーム５４，５４を手摺りとして用いることができるので、走行車体４０の乗り降りを円滑に行うことができる。
【０２６５】
また、載置台５５に苗の容器を積載、あるいは取り出す際、機体後側からであれば容器の積載、取り出しを妨げる部材が無いので、作業能率が向上する。
【０２６６】
前記作業座席４６の走行車体４０への取付は、正面視または背面視においてコの字形状であり、エンジン４１等の上方を覆う機体カバー４８を跨ぐ座席フレーム４９のうち、機体左右方向となる部分の上部に装着する。該座席フレーム４９の上部には、機体前側に向かう左右のシートステー４９ａの基部が装着されており、作業座席４６は左右のシートステー４９ａの基部側の左右方向の回動支点を中心に、機体前後方向に回動可能に装着される。
【０２６７】
これにより、作業座席４６を苗供給装置４３の機体前側端部付近に接触する姿勢で載置できるので、作業中断時に作業者の着座部分に砂や雨水が付着することを防止できる。
【０２６８】
圃場に苗を移植する際、圃場の土質や周辺の水環境、あるいは作業前の天候等の条件を考慮して、植え付けた苗の付近に水を供給する、所謂灌水作業を行うことがある。
【０２６９】
本件の移植機には、図１から図４に示すとおり、左右の走行伝動ケース３８，３８に、水タンク６００を積載する水タンクホルダ６０１を各々設けている。
【０２７０】
該水タンク６００に貯留された灌水用の水は、走行車体４０の底部で、且つ機体前後中央付近に設けられる灌水ポンプ７００の動作によって汲み上げられると共に、植付ホッパ２０ａ，２０ｂが苗を植え付ける位置に排出される。該灌水ポンプ７００は、植付ホッパ２０ａ，２０ｂの数に合わせて配置し、走行車体４０の左右中央部を基準として、間隔を空けて左右に配置する。
【０２７１】
前記灌水ポンプ７００にホースを装着し、水タンク６００から灌水ポンプ７００を経由して散水ノズル７１０から水を排出する構成とすることもできるが、灌水ポンプ７００のピストンシリンダ（図示省略）の動作により、排出方向に送り出された水の一部が水タンク６００側に戻されることがある。これにより、圃場に供給される１回当たりの灌水量が減少し、水不足により苗の生育が遅れたり、生育不良により収穫物の品質を低下させるおそれがある。
【０２７２】
これを防止すべく、前記左右の側部ステップ１１８の機体外側の下部に、送水方向を一方に制限するチェックバルブ７２０を各々設け、水タンク６００とチェックバルブ７２０の給水側を吸水ホース７２１で連結すると共に、チェックバルブ７２０の排水側と排水ノズル７１０を排水ホース７２２で連結する。また、チェックバルブ７２０と灌水ポンプ７００を、中継ホース７２３で連結する。
【０２７３】
より具体的には、図１７で示すとおり、まず、機体前側から後側への送水を許容する方向に向けた吸水チェックバルブ７２４と排水チェックバルブ７２５を上下に並べて側部ステップ１１８の機体外側端部の下部に装着する。そして、前記吸水ホース７２１の一側を水タンク６００内に入り込ませ、他側を吸水チェックバルブ７２４の入口、即ち機体前側と連結し、前記排水ホース７２２の一側を排水チェックバルブ７２５の出口、即ち機体後側と連結し、他側を前記排水ノズル７１０に連結する。
【０２７４】
前記灌水ポンプ７００には、機体左右方向の第１中継ホース７２３ａの基部側を装着し、端部側には、三又形状の分岐ジョイント７２３ｄの収束ポートを装着する。そして、該分岐ジョイント７２３ｄの吸水ポートと吸水チェックバルブ７２４の出口（機体後側）の間には、第２中継ホース７２３ｂを設け、分岐ジョイント７２３ｄの排水ポートと排水チェックバルブ７２５の入口（機体前側）の間には、第３中継ホース７２３ｃを設ける。
【０２７５】
なお、排水ノズル７１０は、圃場に直接水を供給してもよいが、植付ホッパ２０ａ，２０ｂの上側開口部から内部に灌水をある程度の水勢で投入し、植付ホッパ２０ａ，２０ｂ内に付着した泥土の除去に利用する構成としてもよい。
【０２７６】
これにより、植付ホッパ２０ａ，２０ｂが開いている間に内部に入り込み、泥土を除去するスクレーパが不要になるので、部品点数の削減が図られる。
【０２７７】
上記スクレーパが、植付ホッパ２０ａ，２０ｂの昇降に連動して所定の軌跡を描くものであれば、所定の軌跡で昇降させる機構の部品を削減できるので、部品点数の大幅な削減と、機体構成の簡略化が図られる。
【０２７８】
さらに、泥土を灌水で圃場に戻すことができるので、圃場外を泥土で汚染することを防止できると共に、圃場内の養分の流出が軽減される。
【０２７９】
上記構成により、チェックバルブ７２０が機体左右外側の空間部に配置されるので、詰まり等の問題が生じた際に原因の調査やメンテナンス作業が行いやすく、労力の軽減や作業時間の短縮が図られる。
【０２８０】
また、吸水チェックバルブ７２４と排水チェックバルブ７２５の送水方向が同じになる配置としたことにより、分解後の組付作業時に取付方向を間違えにくくなり、作業能率が向上する。
【０２８１】
また、チェックバルブ７２０が水タンク６００の後側で、植付ホッパ２０ａ，２０ｂの前側で、且つ灌水ポンプ７００の機体外側に配置されることにより、吸水ホース７２１、排水ホース７２２、第１中継ホース７２３ａ、第２中継ホース７２３ｂ及び第３中継ホース７２３ｃの屈曲を最低限に抑え、且つ重複しにくい配置とすることができる。
【０２８２】
なお、吸水チェックバルブ７２４と排水チェックバルブ７２５は透明な筒とし、内部のスプリングや逆流防止用のボールを外部から確認できるものとすると、送水方向が視認でき、取付間違いがより生じにくくなる。
【０２８３】
前記吸水ホース７２１の先端部には、水タンク６００内の水を吸い込む吸水パイプを装着する。該吸水パイプは、水タンク６００内に入り込んだ砂等の夾雑物を吸い込まず、水のみを吸い込むべく、吸水口の周囲をフィルタ、例えば網材を円柱状に形成したものを装着している。この網目状のフィルタは、夾雑物の進入を防止しつつ水を吸い込む効果はあるが、金属で形成しても強度が確保できず、作業者が吸水ホース７２１に装着する際に誤って握り締めたり、踏んだりして壊してしまうことがあった。
【０２８４】
これを防止すべく、図３５（ａ）及び（ｂ）に示すとおり、吸水パイプ７２６の外周部に、複数の小さな穴７２７ａを形成した金属製または硬質樹脂製の円柱の第１吸水カバー７２７を設け、この吸水カバー７２７を通じて給水パイプ７２６に水が入り込む構成とする。
【０２８５】
上記により、握ったり踏んだりしても変形しにくい強度を確保できると共に、吸水パイプ７２６の重量を重くすることができるので、吸水ホース７２１が浮力により浮かび上がることが防止され、水タンク６００内の水を効率的に吸い出すことができる。
【０２８６】
上記の第１吸水カバー７２７に替えて、図３５（ｃ）に示す、外周部に沿って複数の上下方向のスリット７２８ａを所定間隔毎に形成する、第２吸水カバー７２８としてもよい。
【０２８７】
これにより、上下方向に長いスリット７２８ａから水を取り込ませることができるので、灌水ポンプ７００の出力を過剰に高くする必要がなく、コストダウンが図られる。
【０２８８】
上記の水タンク６００に貯留された水は、容量が多いうちは問題がないが、底部付近に近付くほど、吸水パイプ７２６が水を吸い込みにくくなり、まだ水タンク６００内に水が残っているにもかかわらず、水の補充を行わねばならない。
【０２８９】
この問題を解消すべく、図３６に示すとおり、水タンク６００の底部付近に、吸水ホース７２１を底面に対して略水平な姿勢で装着する吸出口７２９を形成する。
【０２９０】
これにより、吸水ホース７２１は水タンク６００の底部側から水を吸い出すので、水の残量が少なくなっても水を吸い出しやすく、水タンク６００に貯留された水を能率的に吸い出して灌水に使用することができる。
【産業上の利用可能性】
【０２９１】
本発明に係る移植機は、苗の植付を行う移植機において、作業者の視認性を向上させて作業能率を向上させる等に適用でき、産業上の利用可能性が高い。
【符号の説明】
【０２９２】
２０ａ  植付ホッパ（植付装置）
２０ｂ  植付ホッパ（植付装置）
４０  走行車体
４１  エンジン（駆動装置）
４３  苗供給装置
４６  作業座席（搭乗部）
１５２  補強フレーム（補強部材）
１５３  回動支持プレート（回動支持部材）
１５３ａ  回動規制部
１５４  視認回動アーム
１５５  視認部材（表示部）
１５７  視認装置
１２２  フロアステップ（搭乗部）
４０４  操縦ハンドル（操縦部）
４０６  第１スロットルレバー（第１出力操作部材）
４０９  第２スロットルレバー（第２出力操作部材）
４０９ａ  収納空間部
４１０  収納スプリング（収納付勢部材）
【図１】
2020184951.tif 000003
【図２】
2020184951.tif 000004
【図３】
2020184951.tif 000005
【図４】
2020184951.tif 000006
【図５】
2020184951.tif 000007
【図６】
2020184951.tif 000008
【図７】
2020184951.tif 000009
【図８】
2020184951.tif 000010
【図９】
2020184951.tif 000011
【図１０】
2020184951.tif 000012
【図１１】
2020184951.tif 000013
【図１２】
2020184951.tif 000014
【図１３】
2020184951.tif 000015
【図１４】
2020184951.tif 000016
【図１５】
2020184951.tif 000017
【図１６】
2020184951.tif 000018
【図１７】
2020184951.tif 000019
【図１８】
2020184951.tif 000020
【図１９】
2020184951.tif 000021
【図２０】
2020184951.tif 000022
【図２１】
2020184951.tif 000023
【図２２】
2020184951.tif 000024
【図２３】
2020184951.tif 000025
【図２４】
2020184951.tif 000026
【図２５】
2020184951.tif 000027
【図２６】
2020184951.tif 000028
【図２７】
2020184951.tif 000029
【図２８】
2020184951.tif 000030
【図２９】
2020184951.tif 000031
【図３０】
2020184951.tif 000032
【図３１】
2020184951.tif 000033
【図３２】
2020184951.tif 000034
【図３３】
2020184951.tif 000035
【図３４】
2020184951.tif 000036
【図３５】
2020184951.tif 000037
【図３６】
2020184951.tif 000038